(57)【要約】【課題】  ３相ブラシレスモータを用いた車両の制動制御装置に適用され、弱め磁束制御が、より効果的に行われ得るものを提供する。【解決手段】  制動制御装置は、車輪に対する要求制動力に応じた目標押圧力に基づいて電気モータを駆動し、車輪に固定される回転部材に摩擦部材を押圧して制動力を発生する。制御装置は、電気モータを駆動する駆動回路と、目標押圧力に基づいて駆動回路を制御するコントローラと、電気モータの回転角を検出する回転角センサと、を備える。コンローラは、駆動回路の諸元に基づいて電気モータのｄｑ軸電流特性における電流制限円を設定し、回転角に基づいてｄｑ軸電流特性における電圧制限円を演算し、電流制限円と電圧制限円との相互関係に基づいて、ｄ軸、ｑ軸目標電流を演算し、ｄ軸、ｑ軸目標電流に基づいて駆動回路を制御する。さらに、コントローラは、電圧制限円と電流制限円との交点に基づいてｄ軸目標電流を演算する。【選択図】  図６
2018034578.tif 000002
【特許請求の範囲】
【請求項１】
車両の車輪に対する要求制動力に応じた目標押圧力に基づいて電気モータを駆動し、前記車輪に固定される回転部材に摩擦部材を押圧して前記車輪に制動力を発生する車両の制動制御装置であって、
前記電気モータを駆動する駆動回路と、
前記目標押圧力に基づいて駆動回路を制御するコントローラと、
前記電気モータの回転角を検出する回転角センサと、
を備え、
前記コンローラは、
前記駆動回路の諸元に基づいて、前記電気モータのｄ軸電流とｑ軸電流との電流特性における電流制限円を設定し、
前記回転角に基づいて、前記電流特性における電圧制限円を演算し、
前記電流制限円と前記電圧制限円との相互関係に基づいて、ｄ軸目標電流、及び、ｑ軸目標電流を演算し、
前記ｄ軸目標電流、及び、前記ｑ軸目標電流に基づいて前記駆動回路を制御する、車両の制動制御装置。
【請求項２】
請求項１に記載の車両の制動制御装置において、
前記コントローラは、
前記相互関係において、
前記電圧制限円と前記電流制限円との交点を演算し、
前記交点に基づいて、前記ｄ軸目標電流を演算する、車両の制動制御装置。
【発明の詳細な説明】
【技術分野】
【０００１】
本発明は、車両の制動制御装置に関する。
【背景技術】
【０００２】
特許文献１には、「電動制動力発生手段を駆動する電動モータを大型化することなく、制動力発生の応答性を高める」ことを目的に、「目標ブレーキ液圧算出手段Ｍ１はスレーブシリンダに発生させるべき目標ブレーキ液圧を算出し、微分手段Ｍ２は目標ブレーキ液圧を時間微分して目標ブレーキ液圧の変化率を算出し、界磁電流算出手段Ｍ３は目標ブレーキ液圧の変化率に基づいてスレーブシリンダを駆動する電動モータの界磁電流指令値を算出し、電動モータ制御手段Ｍ４は界磁電流指令値に基づいて電動モータを弱め界磁制御する。目標ブレーキ液圧の変化率が大きいときは制動力を急激に立ち上げる必要がある緊急時であり、このときに界磁電流指令値を増加させて電動モータの弱め界磁量を増加させることで、電動モータの回転数を増加させてスレーブシリンダを速やかに作動させ、制動力発生の応答性を高めることができる」ことが記載されている。
【０００３】
特許文献２には、「電動アクチュエータにより発生させるブレーキ力の応答性を、簡単な構成で、より一層高める」ことを目的に、「ホイールシリンダにブレーキ液圧を与えるモータ駆動シリンダ１３を、ブレーキ操作量に応じて求められた目標モータ角θｔと実モータ角θｍとの偏差Δθが大きい場合に弱め界磁制御を行って駆動制御する。電動アクチュエータの作動量として例えばモータ角（回転量）を用いる場合には公知の簡単かつ安価な回転センサ等で高精度な検出が可能であり、モータ角の変動レンジが広くなり、制動応答性を容易に高めることができる。また、負荷剛性の変動による影響を受けることが無く、弱め界磁制御の開始直後の過渡状態においてモータ角の偏差は生じており、弱め界磁制御を継続して実行することができ、モータの応答特性の変動が低減され、安定した応答特性が得られる」ことが記載されている。
【０００４】
特許文献１、２には、電気モータのｄ軸に負の電流を流すことによる「弱め界磁制御（弱め磁束制御ともいう）」について記載されている。弱め磁束制御が、より効果的には実行されるためには、電気モータの状態変数に基づく制御が必要となる。
【先行技術文献】
【特許文献】
【０００５】
【特許文献１】特開２００８−１８４０５７号公報
【特許文献２】特開２０１２−１３１２９３号公報
【発明の概要】
【発明が解決しようとする課題】
【０００６】
本発明の目的は、３相ブラシレスモータを用いた車両の制動制御装置に適用され、弱め磁束制御が、より効果的に行われ得るものを提供することである。
【課題を解決するための手段】
【０００７】
本発明に係る車両の制動制御装置は、車両の車輪（ＷＨ）に対する要求制動力に応じた目標押圧力（Ｆｐｔ）に基づいて電気モータ（ＭＴＲ）を駆動し、前記車輪（ＷＨ）に固定される回転部材（ＫＴ）に摩擦部材（ＭＳ）を押圧して前記車輪（ＷＨ）に制動力を発生する。車両の制動制御装置は、前記電気モータ（ＭＴＲ）を駆動する駆動回路（ＤＲＶ）と、前記目標押圧力（Ｆｐｔ）に基づいて駆動回路（ＤＲＶ）を制御するコントローラ（ＥＣＵ）と、前記電気モータ（ＭＴＲ）の回転角（Ｍｋａ）を検出する回転角センサ（ＭＫＡ）と、を備える。
【０００８】
本発明に係る車両の制動制御装置では、前記コンローラ（ＥＣＵ）は、前記駆動回路（ＤＲＶ）の諸元に基づいて、前記電気モータ（ＭＴＲ）のｄ軸電流とｑ軸電流との電流特性（ｄｑ軸電流特性）における電流制限円（Ｃｉｓ）を設定し、前記回転角（Ｍｋａ）に基づいて、前記電流特性（ｄｑ軸電流特性）における電圧制限円（Ｃｖｓ）を演算し、前記電流制限円（Ｃｉｓ）と前記電圧制限円（Ｃｖｓ）との相互関係に基づいて、ｄ軸目標電流（Ｉｄｔ）、及び、ｑ軸目標電流（Ｉｑｔ）を演算し、前記ｄ軸目標電流（Ｉｄｔ）、及び、前記ｑ軸目標電流（Ｉｑｔ）に基づいて前記駆動回路（ＤＲＶ）を制御する。
【０００９】
本発明に係る車両の制動制御装置では、前記コントローラ（ＥＣＵ）は、前記相互関係において、前記電圧制限円（Ｃｖｓ）と前記電流制限円（Ｃｉｓ）との交点（Ｐｘ）を演算し、前記交点（Ｐｘ）に基づいて、前記ｄ軸目標電流（Ｉｄｔ）を演算する。
【００１０】
電気モータＭＴＲに実際に流し得る電流は、電流制限円Ｃｉｓと電圧制限円Ｃｖｓとが重なる範囲（通電可能領域）である。さらに、電圧制限円Ｃｖｓは、電気モータＭＴＲの電気角速度ωの影響を受ける。このため、電流制限円Ｃｉｓと電圧制限円Ｃｖｓとの相互関係は、回転速度ｄＭｋに応じて変化する。
【００１１】
上記構成によれば、目標電流ベクトルＩｍｔの決定に際して、ｄ軸、ｑ軸電流特性（Ｉｄｔ−Ｉｑｔ特性）において、電流制限円Ｃｉｓと電圧制限円Ｃｖｓとの相互関係が参酌される。具体的には、電流制限円Ｃｉｓが、駆動回路ＤＲＶの諸元（例えば、スイッチング素子の許容電流）に基づいて、予め設定される。また、回転角センサＭＫＡによって検出された回転角Ｍｋａに基づいて電圧制限円Ｃｖｓが作製される。そして、電流制限円Ｃｉｓと電圧制限円Ｃｖｓとの相互関係に基づいてｄ軸、ｑ軸目標電流Ｉｄｔ、Ｉｑｔが決定される。特に、電圧制限円Ｃｖｓと電流制限円Ｃｉｓとが交わる場合には、電圧制限円Ｃｖｓと電流制限円Ｃｉｓとの交点に基づいてｄ軸、ｑ軸目標電流Ｉｄｔ、Ｉｑｔが演算される。
【００１２】
電圧制限円Ｃｖｓと電流制限円Ｃｉｓとの交点では、電気モータＭＴＲの出力（仕事率）が最大となる。このため、電気モータＭＴＲが効率的に駆動され、高速回転が維持されるとともに、高トルク出力が達成され得る。
【図面の簡単な説明】
【００１３】
【図１】本発明に係る車両の制動制御装置ＢＣＳを搭載した車両の全体構成図である。
【図２】コントローラＥＣＵでの処理を説明するための機能ブロック図である。
【図３】スイッチング制御ブロックＳＷＴでの処理を説明するための機能ブロック図である。
【図４】３相ブラシレスモータＭＴＲ、及び、駆動回路ＤＲＶを説明するための回路図である。
【図５】目標電流演算ブロックＩＭＴでの第１処理例を説明するためのフロー図である。
【図６】目標電流演算ブロックＩＭＴでの第１処理例を説明するための特性図である。
【図７】目標電流演算ブロックＩＭＴでの第２処理例を説明するためのフロー図である。
【図８】目標電流演算ブロックＩＭＴでの第２処理例を説明するための特性図である。
【発明を実施するための形態】
【００１４】
＜本発明に係る車両の制動制御装置の全体構成＞
図１の全体構成図を参照して、本発明に係る制動制御装置ＢＣＳについて説明する。以下の説明で、同一の記号が付された構成部材、演算処理、信号、特性、及び、値は、同一の機能を発揮するものである。従って、重複説明は、省略されることがある。
【００１５】
制動制御装置ＢＣＳを備える車両には、制動操作部材ＢＰ、制動操作量センサＢＰＡ、コントローラＥＣＵ、マスタシリンダＭＣ、ストロークシミュレータＳＳＭ、シミュレータ遮断弁ＶＳＭ、加圧ユニットＫＡＵ、切替弁ＶＫＲ、マスタシリンダ配管ＨＭＣ、ホイールシリンダ配管ＨＷＣ、及び、加圧シリンダ配管ＨＫＣが備えられる。さらに、車両の各々の車輪ＷＨには、ブレーキキャリパＣＰ、ホイールシリンダＷＣ、回転部材ＫＴ、及び、摩擦部材ＭＳが備えられている。
【００１６】
制動操作部材（例えば、ブレーキペダル）ＢＰは、運転者が車両を減速するために操作する部材である。制動操作部材ＢＰが操作されることによって、車輪ＷＨの制動トルクが調整され、車輪ＷＨに制動力が発生される。具体的には、車両の車輪ＷＨには、回転部材（例えば、ブレーキディスク）ＫＴが固定される。回転部材ＫＴを挟み込むようにブレーキキャリパＣＰが配置される。そして、ブレーキキャリパ（単に、キャリパともいう）ＣＰには、ホイールシリンダＷＣが設けられている。キャリパＣＰのホイールシリンダＷＣ内の液圧が調整（増加、又は、減少）されることによって、ホイールシリンダＷＣ内のピストンが回転部材ＫＴに対して移動（前進、又は、後退）される。このピストンの移動によって、摩擦部材（例えば、ブレーキパッド）ＭＳが、回転部材ＫＴに押し付けられ、押圧力が発生する。回転部材ＫＴと車輪ＷＨとは、固定シャフトＤＳを介して固定されている。このため、上記押圧力にて生じる摩擦力によって、車輪ＷＨに制動トルク（制動力）が発生される。従って、車輪ＷＨに要求される制動力（要求制動力）は、上記押圧力の目標値に応じて達成される。
【００１７】
制動操作量センサ（単に、操作量センサともいう）ＢＰＡは、制動操作部材ＢＰに設けられる。操作量センサＢＰＡによって、運転者による制動操作部材ＢＰの操作量Ｂｐａが検出される。具体的には、操作量センサＢＰＡとして、マスタシリンダＭＣの圧力を検出する液圧センサ、制動操作部材ＢＰの操作変位を検出する操作変位センサ、及び、制動操作部材ＢＰの操作力を検出する操作力センサのうちの少なくとも１つが採用される。即ち、操作量センサＢＰＡは、マスタシリンダ液圧センサ、操作変位センサ、及び、操作力センサについての総称である。従って、制動操作量Ｂｐａは、マスタシリンダＭＣの液圧、制動操作部材ＢＰの操作変位、及び、制動操作部材ＢＰの操作力のうちの少なくとも１つに基づいて決定される。操作量Ｂｐａは、コントローラＥＣＵに入力される。
【００１８】
コントローラ（電子制御ユニット）ＥＣＵは、マイクロプロセッサ等が実装された電気回路基板と、マイクロプロセッサにプログラムされた制御アルゴリズムにて構成されている。コントローラＥＣＵは、制動操作量Ｂｐａに基づいて、加圧ユニットＫＡＵ、遮断弁ＶＳＭ、及び、切替弁ＶＫＲを制御する。具体的には、プログラムされた制御アルゴリズムに基づいて、電気モータＭＴＲ、遮断弁ＶＳＭ、切替弁ＶＫＲを制御するための信号（Ｓｕｘ等）が演算され、コントローラＥＣＵから出力される。
【００１９】
コントローラＥＣＵは、操作量Ｂｐａが所定値ｂｐ０以上になった場合に、遮断弁ＶＳＭを開位置にする駆動信号Ｖｓｍを出力するとともに、切替弁ＶＫＲが加圧シリンダ配管ＨＫＣとホイールシリンダ配管ＨＷＣとを連通状態にする駆動信号Ｖｋｒを、各電磁弁ＶＳＭ、ＶＫＲに出力する。この場合、マスタシリンダＭＣはシミュレータＳＳＭに連通状態にされ、加圧シリンダＫＣＬはホイールシリンダＷＣと連通状態にされる。
【００２０】
コントローラＥＣＵは、操作量Ｂｐａ、回転角Ｍｋａ、及び、押圧力Ｆｐａ（例えば、加圧シリンダＫＣＬの液圧）に基づいて、電気モータＭＴＲを駆動するための駆動信号（Ｓｕｘ等）を演算し、駆動回路ＤＲＶに出力する。ここで、制動操作量Ｂｐａは制動操作量センサＢＰＡ、実回転角Ｍｋａは回転角センサＭＫＡ、実押圧力Ｆｐａは押圧力センサＦＰＡによって検出される。電気モータＭＴＲで駆動される加圧ユニットＫＡＵによって、ホイールシリンダＷＣ内の制動液の圧力が制御（維持、増加、又は、減少）される。
【００２１】
マスタシリンダＭＣは、制動操作部材ＢＰと、ブレーキロッドＢＲＤを介して、機械的に接続されている。マスタシリンダＭＣによって、制動操作部材ＢＰの操作力（ブレーキペダル踏力）が、制動液の圧力に変換される。マスタシリンダＭＣには、マスタシリンダ配管ＨＭＣが接続され、制動操作部材ＢＰが操作されると、制動液は、マスタシリンダＭＣからマスタシリンダ配管ＨＭＣに排出（圧送）される。マスタシリンダ配管ＨＭＣは、マスタシリンダＭＣと切替弁ＶＫＲとを接続する流体路である。
【００２２】
ストロークシミュレータ（単に、シミュレータともいう）ＳＳＭが、制動操作部材ＢＰに操作力を発生させるために設けられる。マスタシリンダＭＣ内の液圧室とシミュレータＳＳＭとの間には、シミュレータ遮断弁（単に、遮断弁ともいう）ＶＳＭが設けられる。遮断弁ＶＳＭは、開位置と閉位置とを有する２位置の電磁弁である。遮断弁ＶＳＭが開位置にある場合には、マスタシリンダＭＣとシミュレータＳＳＭとは連通状態となり、遮断弁ＶＳＭが閉位置にある場合には、マスタシリンダＭＣとシミュレータＳＳＭとは遮断状態（非連通状態）となる。遮断弁ＶＳＭは、コントローラＥＣＵからの駆動信号Ｖｓｍによって制御される。遮断弁ＶＳＭとして、常閉型電磁弁（ＮＣ弁）が採用され得る。
【００２３】
シミュレータＳＳＭの内部には、ピストン、及び、弾性体（例えば、圧縮ばね）が備えられる。マスタシリンダＭＣから制動液がシミュレータＳＳＭに移動され、流入する制動液によりピストンが押される。ピストンには、弾性体によって制動液の流入を阻止する方向に力が加えられる。弾性体によって、制動操作部材ＢＰが操作される場合の操作力（例えば、ブレーキペダル踏力）が形成される。
【００２４】
≪加圧ユニットＫＡＵ≫
加圧ユニットＫＡＵは、電気モータＭＴＲを動力源として、加圧シリンダ配管ＨＫＣに制動液を排出（圧送）する。そして、この圧力によって、加圧ユニットＫＡＵは、摩擦部材ＭＳを回転部材ＫＴに押し付け（押圧）して、車輪ＷＨに制動トルク（制動力）を付与する。換言すれば、加圧ユニットＫＡＵは、回転部材ＫＴに摩擦部材ＭＳを押し付ける力（押圧力）を電気モータＭＴＲによって発生する。
【００２５】
加圧ユニットＫＡＵは、電気モータＭＴＲ、駆動回路ＤＲＶ、動力伝達機構ＤＤＫ、加圧シャフトＫＳＦ、加圧シリンダＫＣＬ、加圧ピストンＰＫＣ、及び、押圧力センサＦＰＡにて構成される。
【００２６】
電気モータＭＴＲは、加圧シリンダＫＣＬがホイールシリンダＷＣ内の制動液の圧力を調整（加圧、減圧等）するための動力源である。電気モータＭＴＲとして、３相ブラシレスモータが採用される。電気モータＭＴＲは、Ｕ相、Ｖ相、Ｗ相に夫々対応した、３つのコイルＣＬＵ、ＣＬＶ、ＣＬＷを有し、駆動回路ＤＲＶによって駆動される。電気モータＭＴＲには、電気モータＭＴＲのロータ位置（回転角）Ｍｋａを検出する回転角センサＭＫＡが設けられる。回転角Ｍｋａは、コントローラＥＣＵに入力される。
【００２７】
駆動回路ＤＲＶは、電気モータＭＴＲを駆動するためのスイッチング素子（パワー半導体デバイス）等が実装された電気回路基板である。具体的には、駆動回路ＤＲＶには３相ブリッジ回路が形成され、駆動信号（Ｓｕｘ等）に基づいて、電気モータＭＴＲへの通電状態が制御される。駆動回路ＤＲＶには、電気モータＭＴＲへの実際の電流Ｉｍａ（各相の総称）を検出する電流センサ（例えば、電流センサ）ＩＭＡが設けられる。各相の電流（検出値）Ｉｍａは、コントローラＥＣＵに入力される。
【００２８】
動力伝達機構ＤＤＫは、電気モータＭＴＲの回転動力を減速し、且つ、直線動力に変換して加圧シャフトＫＳＦに出力する。具体的には、動力伝達機構ＤＤＫには、減速機（図示せず）が設けられ、電気モータＭＴＲからの回転動力が減速されてねじ部材（図示せず）に出力される。そして、ねじ部材によって、回転動力が加圧シャフトＫＳＦの直線動力に変換される。即ち、動力伝達機構ＤＤＫは、回転・直動変換機構である。
【００２９】
加圧シャフトＫＳＦには加圧ピストンＰＫＣが固定される。加圧ピストンＰＫＣは、加圧シリンダＫＣＬの内孔に挿入され、ピストンとシリンダとの組み合わせが形成されている。具体的には、加圧ピストンＰＫＣの外周には、シール部材（図示せず）が設けられ、加圧シリンダＫＣＬの内孔（内壁）との間で液密性が確保される。即ち、加圧シリンダＫＣＬと加圧ピストンＰＫＣとによって区画され、制動液が充填された加圧室Ｒｋｃが形成される。
【００３０】
加圧シリンダＫＣＬ内にて、加圧ピストンＰＫＣが中心軸方向に移動されることによって、加圧室Ｒｋｃの体積が変化される。この体積変化によって、制動液は、制動配管（流体路）ＨＫＣ、ＨＷＣを介して、加圧シリンダＫＣＬとホイールシリンダＷＣとの間で移動される。加圧シリンダＫＣＬからの制動液の出し入れによって、ホイールシリンダＷＣ内の液圧が調整され、その結果、摩擦部材ＭＳが回転部材ＫＴを押圧する力（押圧力）が調整される。
【００３１】
例えば、押圧力センサＦＰＡとして、加圧室Ｒｋｃの液圧Ｆｐａを検出する液圧センサが、加圧ユニットＫＡＵ（特に、加圧シリンダＫＣＬ）に内蔵される。液圧センサ（押圧力センサに相当）ＦＰＡは、加圧シリンダＫＣＬに固定され、加圧ユニットＫＡＵとして一体となって構成される。押圧力の検出値Ｆｐａ（即ち、加圧室Ｒｋｃの液圧）は、コントローラＥＣＵに入力される。以上、加圧ユニットＫＡＵについて説明した。
【００３２】
切替弁ＶＫＲによって、「ホイールシリンダＷＣがマスタシリンダＭＣと接続される状態」と、「ホイールシリンダＷＣが加圧シリンダＫＣＬと接続される状態」とが、切り替えられる。切替弁ＶＫＲは、コントローラＥＣＵからの駆動信号Ｖｋｒに基づいて制御される。具体的には、制動操作が行われていない場合（「Ｂｐａ＜ｂｐ０」の場合）には、ホイールシリンダ配管ＨＷＣは、切替弁ＶＫＲを介して、マスタシリンダ配管ＨＭＣと連通状態にされ、加圧シリンダ配管ＨＫＣとは非連通（遮断）状態にされる。ここで、ホイールシリンダ配管ＨＷＣは、ホイールシリンダＷＣに接続される流体路である。制動操作が行われると（即ち、「Ｂｐａ≧ｂｐ０」の状態になると）、切替弁ＶＫＲが駆動信号Ｖｋｒに基づいて励磁され、ホイールシリンダ配管ＨＷＣとマスタシリンダ配管ＨＭＣとの連通は遮断され、ホイールシリンダ配管ＨＷＣと加圧シリンダ配管ＨＫＣとが連通状態にされる。
【００３３】
＜コントローラＥＣＵにおける処理＞
図２の機能ブロック図を参照して、コントローラ（電子制御ユニット）ＥＣＵでの処理について説明する。なお、上記の如く、同一記号の構成部材、演算処理、信号、特性、及び、値は、同一の機能を発揮する。
【００３４】
コントローラＥＣＵでは、制動操作部材ＢＰの操作量Ｂｐａに基づいて、電気モータＭＴＲの駆動、及び、電磁弁ＶＳＭ、ＶＫＲの励磁が行われる。スイッチング素子ＳＵＸ、ＳＵＺ、ＳＶＸ、ＳＶＺ、ＳＷＸ、ＳＷＺ（単に、「ＳＵＸ〜ＳＷＺ」とも表記）によって、駆動回路ＤＲＶ（３相ブリッジ回路）が形成される。電気モータＭＴＲの駆動は、駆動回路ＤＲＶによって実行される。具体的には、コントローラＥＣＵによって、スイッチング素子ＳＵＸ〜ＳＷＺを駆動するための信号Ｓｕｘ、Ｓｕｚ、Ｓｖｘ、Ｓｖｚ、Ｓｗｘ、Ｓｗｚ（単に、「Ｓｕｘ〜Ｓｗｚ」とも表記）が演算される。また、コントローラＥＣＵによって、電磁弁ＶＳＭ、ＶＫＲを駆動するための信号Ｖｓｍ、Ｖｋｒが決定される。
【００３５】
コントローラＥＣＵは、指示押圧力演算ブロックＦＰＳ、車輪スリップ制御ブロックＦＳＣ、指示電流演算ブロックＩＭＳ、押圧力フィードバック制御ブロックＦＦＢ、目標電流演算ブロックＩＭＴ、スイッチング制御ブロックＳＷＴ、及び、電磁弁制御ブロックＳＬＣにて構成される。
【００３６】
指示押圧力演算ブロックＦＰＳでは、制動操作量Ｂｐａ、及び、演算特性（演算マップ）ＣＦｐｓに基づいて、指示押圧力Ｆｐｓが演算される。ここで、指示押圧力Ｆｐｓは、加圧ユニットＫＡＵによって発生される液圧（押圧力に相当）の目標値である。具体的には、演算特性ＣＦｐｓにおいて、制動操作量Ｂｐａがゼロ（制動操作が行われていない場合に対応）以上から所定値ｂｐ０未満の範囲では指示押圧力Ｆｐｓが「０（ゼロ）」に演算され、操作量Ｂｐａが所定値ｂｐ０以上では指示押圧力Ｆｐｓが操作量Ｂｐａの増加にしたがって「０」から単調増加するように演算される。ここで、所定値ｂｐ０は、制動操作部材ＢＰの「遊び」に相当する値である。
【００３７】
車輪スリップ制御ブロックＦＳＣでは、車輪スリップ制御用の目標値である、調整押圧力Ｆｓｃが演算される。ここで、「車輪スリップ制御」は、車両の４つの車輪ＷＨのスリップ状態を独立、且つ、別個に制御して、車両の安定性を向上するものである。即ち、車輪スリップ制御は、アンチスキッド制御（Antilock Brake Control）、トラクション制御（Traction Control）、及び、車両安定化制御（Electronic Stability Control）のうちの少なくとも１つである。従って、車輪スリップ制御ブロックＦＳＣでは、アンチスキッド制御、トラクション制御、及び、車両安定化制御のうちの少なくとも１つを実行するための調整押圧力Ｆｓｃが演算される。
【００３８】
車輪スリップ制御ブロックＦＳＣでは、アンチスキッド制御用の調整押圧力Ｆｓｃが演算される。具体的には、各車輪ＷＨに設けられる車輪速度センサＶＷＡの取得結果（車輪速度Ｖｗａ）に基づいて、車輪ロックを防止するようアンチスキッド制御を実行するための調整押圧力Ｆｓｃが演算される。例えば、車輪速度Ｖｗａに基づいて、車輪スリップ状態量Ｓｌｐ（車輪の減速スリップの状態を表す制御変数）が演算される。そして、車輪スリップ状態量Ｓｌｐに基づいて、調整押圧力Ｆｓｃが決定される。
【００３９】
同様に、車輪スリップ制御ブロックＦＳＣでは、車輪速度センサＶＷＡの取得結果（車輪速度Ｖｗａ）に基づいて、車輪スピン（過回転）を抑制するようトラクション制御を実行するために調整押圧力Ｆｓｃが演算される。具体的には、車輪スリップ状態量Ｓｌｐ（車輪の加速スリップの状態を表す制御変数）に基づいて、調整押圧力Ｆｓｃが決定される。
【００４０】
さらに、車輪スリップ制御ブロックＦＳＣでは、操舵角センサＳＡＡ、及び、車両挙動センサ（ヨーレイトセンサＹＲＡ、横加速センサＧＹＡ）の取得結果（操舵角Ｓａａ、ヨーレイトＹｒａ、横加速度Ｇｙａ）に基づいて、車両の安定性を維持するよう車両安定化制御の実行するための調整押圧力Ｆｓｃが演算される。具体的には、操舵角Ｓａａ、ヨーレイトＹｒａ、横加速度Ｇｙａ、及び、車両速度Ｖｘａに基づいて、車両の過度なアンダステア、及び、オーバステアのうちの少なくとも一方を抑制するよう、調整押圧力Ｆｓｃが決定される。
【００４１】
指示押圧力演算ブロックＦＰＳからの指示押圧力Ｆｐｓと、車輪スリップ制御ブロックＦＳＣからの調整押圧力Ｆｓｃが、調整演算（加算演算）によって調整され、目標押圧力Ｆｐｔが演算される。ここで、目標押圧力Ｆｐｔは、押圧力の最終的な目標値であり、車輪ＷＨに対する要求制動力に対応している。具体的には、指示押圧力Ｆｐｓから調整押圧力Ｆｓｃが加算されて、目標押圧力Ｆｐｔが決定される。例えば、車輪スリップ制御ブロックＦＳＣにて、アンチスキッド制御が実行される場合には、車輪ロックを回避するよう、指示押圧力Ｆｐｓを減少して調整する調整押圧力Ｆｓｃ（負の値）が演算される。また、車輪スリップ制御ブロックＦＳＣにて、オーバステアを抑制する車両安定化制御が実行される場合には、車両の旋回外側前輪に対応した押圧力が増加するよう、指示押圧力Ｆｐｓを増加して調整する調整押圧力Ｆｓｃ（正の値）が決定される。
【００４２】
指示電流演算ブロックＩＭＳでは、目標押圧力Ｆｐｔ、及び、予め設定された演算特性（演算マップ）ＣＩｍｓに基づいて、電気モータＭＴＲの指示電流Ｉｍｓが演算される。ここで、指示電流Ｉｍｓは、電気モータＭＴＲを制御するための電流の目標値である。演算特性ＣＩｍｓでは、目標押圧力Ｆｐｔが「０」から増加するに従って、指示電流Ｉｍｓが「０」から単調増加するように、指示電流Ｉｍｓが決定される。
【００４３】
押圧力フィードバック制御ブロックＦＦＢでは、押圧力の目標値（例えば、目標液圧）Ｆｐｔ、及び、押圧力の実際値（液圧検出値）Ｆｐａを制御の状態変数として、これらに基づいて、電気モータＭＴＲの補償電流Ｉｆｐが演算される。指示電流Ｉｍｓに基づく制御だけでは、押圧力に誤差が発生するため、押圧力フィードバック制御ブロックＦＦＢでは、この誤差を補償することが行われる。押圧力フィードバック制御ブロックＦＦＢは、比較演算、及び、補償電流演算ブロックＩＦＰにて構成される。
【００４４】
比較演算によって、押圧力の目標値Ｆｐｔ（車輪ＷＨの要求制動力に対応）と、実際値Ｆｐａ（実際に発生されている制動力に対応）とが比較される。ここで、押圧力の実際値Ｆｐａは、押圧力センサＦＰＡ（例えば、加圧シリンダＫＣＬの液圧を検出する液圧センサ）によって検出される検出値である。比較演算では、目標押圧力（目標値）Ｆｐｔと、実押圧力（検出値）Ｆｐａとの偏差（押圧力偏差）ｅＦｐが演算される。押圧力偏差ｅＦｐは、制御変数として、補償電流演算ブロックＩＦＰに入力される。
【００４５】
補償電流演算ブロックＩＦＰには、比例要素ブロック、微分要素ブロック、及び、積分要素ブロックが含まれる。比例要素ブロックでは、押圧力偏差ｅＦｐに比例ゲインＫｐが乗算されて、押圧力偏差ｅＦｐの比例要素が演算される。微分要素ブロックでは、押圧力偏差ｅＦｐが微分されて、これに微分ゲインＫｄが乗算されて、押圧力偏差ｅＦｐの微分要素が演算される。積分要素ブロックでは、押圧力偏差ｅＦｐが積分されて、これに積分ゲインＫｉが乗算されて、押圧力偏差ｅＦｐの積分要素が演算される。そして、比例要素、微分要素、及び、積分要素が、加算されることによって、補償電流Ｉｆｐが演算される。即ち、補償電流演算ブロックＩＦＰでは、指示押圧力Ｆｐｓと実押圧力Ｆｐａとの比較結果（押圧力偏差ｅＦｐ）に基づいて、実押圧力（検出値）Ｆｐａが目標押圧力（目標値）Ｆｐｔに一致するよう（即ち、偏差ｅＦｐが「０（ゼロ）」に近づくよう）、所謂、押圧力に基づくＰＩＤ制御が実行される。
【００４６】
目標電流演算ブロックＩＭＴでは、指示電流Ｉｍｓ、補償電流（押圧力フィードバック制御による補償値）Ｉｆｐ、及び、回転角Ｍｋａに基づいて、電流の最終的な目標値である目標電流（目標電流ベクトル）Ｉｍｔが演算される。目標電流Ｉｍｔは、ｄｑ軸上のベクトルであり、ｄ軸成分（「ｄ軸目標電流」ともいう）Ｉｄｔと、ｑ軸成分（「ｑ軸目標電流」ともいう）Ｉｑｔとで形成される。目標電流Ｉｍｔは、目標電流ベクトル（Ｉｄｔ、Ｉｑｔ）とも表記される。目標電流Ｉｍｔの演算方法については後述する。
【００４７】
目標電流演算ブロックＩＭＴでは、電気モータＭＴＲの回転すべき方向（即ち、押圧力の増減方向）に基づいて、目標電流Ｉｍｔの符号（値の正負）が決定される。また、電気モータＭＴＲの出力すべき回転動力（即ち、押圧力の増減量）に基づいて、目標電流Ｉｍｔの大きさが演算される。具体的には、制動圧力を増加する場合には、目標電流Ｉｍｔの符号が正符号（Ｉｍｔ＞０）に演算され、電気モータＭＴＲが正転方向に駆動される。一方、制動圧力を減少させる場合には、目標電流Ｉｍｔの符号が負符号（Ｉｍｔ＜０）に決定され、電気モータＭＴＲが逆転方向に駆動される。さらに、目標電流Ｉｍｔの絶対値が大きいほど電気モータＭＴＲの出力トルク（回転動力）が大きくなるように制御され、目標電流Ｉｍｔの絶対値が小さいほど出力トルクが小さくなるように制御される。
【００４８】
スイッチング制御ブロックＳＷＴでは、目標電流Ｉｍｔ（Ｉｄｔ、Ｉｑｔ）に基づいて、各スイッチング素子ＳＵＸ〜ＳＷＺについてパルス幅変調を行うための駆動信号Ｓｕｘ〜Ｓｗｚが演算される。目標電流Ｉｍｔ、及び、回転角Ｍｋａに基づいて、Ｕ相、Ｖ相、Ｗ相の夫々の電圧の目標値Ｅｍｔ（各相の目標電圧Ｅｕｔ、Ｅｖｔ、Ｅｗｔの総称）が演算される。各相の目標電圧Ｅｍｔに基づいて、各相のパルス幅のデューティ比Ｄｔｔ（各相のデューティ比Ｄｕｔ、Ｄｖｔ、Ｄｗｔの総称）が決定される。ここで、「デューティ比」は、一周期に対するオン時間の割合であり、「１００％」がフル通電に相当する。そして、デューティ比（目標値）Ｄｔｔに基づいて、３相ブリッジ回路を構成する各スイッチング素子ＳＵＸ〜ＳＷＺをオン状態（通電状態）にするか、或いは、オフ状態（非通電状態）にするかの駆動信号Ｓｕｘ〜Ｓｗｚが演算される。駆動信号Ｓｕｘ〜Ｓｗｚは、駆動回路ＤＲＶに出力される。
【００４９】
６つの駆動信号Ｓｕｘ〜Ｓｗｚによって、６つのスイッチング素子ＳＵＸ〜ＳＷＺの通電、又は、非通電の状態が、個別に制御される。ここで、デューティ比Ｄｔｔ（各相の総称）が大きいほど、各スイッチング素子において、単位時間当りの通電時間が長くされ、より大きな電流がコイルに流される。したがって、電気モータＭＴＲの回転動力が大とされる。
【００５０】
駆動回路ＤＲＶでは、各相に電流センサＩＭＡ（各相の電流センサＩＵＡ、ＩＶＡ、ＩＷＡの総称）が備えられ、実際の電流Ｉｍａ（各相の実電流Ｉｕａ、Ｉｖａ、Ｉｗａの総称）が検出される。各相の検出値Ｉｍａ（総称）は、スイッチング制御ブロックＳＷＴに入力される。そして、各相の検出値Ｉｍａが、目標値Ｉｍｔと一致するよう、所謂、電流フィードバック制御が実行される。具体的には、各相において、実電流Ｉｍａと目標電流Ｉｍｔとの偏差に基づいて、デューティ比Ｄｔｔ（各相のデューティ比Ｄｕｔ、Ｄｖｔ、Ｄｗｔの総称）が、個別に修正（微調整）される。この電流フィードバック制御によって、高精度なモータ制御が達成され得る。
【００５１】
電磁弁制御ブロックＳＬＣにて、操作量Ｂｐａに基づいて、電磁弁ＶＳＭ、ＶＫＲを制御するための駆動信号Ｖｓｍ、Ｖｋｒが演算される。操作量Ｂｐａが所定量ｂｐ０未満の場合（特に、「Ｂｐａ＝０」の場合）が、非制動操作時に対応し、シミュレータ遮断弁ＶＳＭが開位置にされるよう、駆動信号Ｖｓｍが決定される（例えば、遮断弁ＶＳＭがＮＣ弁である場合には、駆動信号Ｖｓｍは非励磁を指示）。同時に、「Ｂｐａ＜ｂｐ０」の場合には、「マスタシリンダＭＣとホイールシリンダＷＣとが連通され、加圧シリンダＫＣＬとホイールシリンダＷＣとが遮断される状態（非励磁状態という）」になるよう、駆動信号Ｖｋｒが演算される。
【００５２】
操作量Ｂｐａが増加され、操作量Ｂｐａが所定量ｂｐ０以上となった時点以降が、制動操作時に対応し、該時点（制動操作開始時点）で、遮断弁ＶＳＭが閉位置から開位置へと変更されるよう、駆動信号Ｖｓｍが決定される。遮断弁ＶＳＭがＮＣ弁である場合には、制動操作開始時点で、駆動信号Ｖｓｍとして、励磁指示が開始される。また、制動操作開始時点にて、「マスタシリンダＭＣとホイールシリンダＷＣとが遮断され、加圧シリンダＫＣＬとホイールシリンダＷＣとが連通される状態（励磁状態という）」になるよう、駆動信号Ｖｋｒが決定される。
【００５３】
＜スイッチング制御ブロックＳＷＴでの処理＞
図３の機能ブロック図を参照して、スイッチング制御ブロックＳＷＴでの処理について説明する。スイッチング制御ブロックＳＷＴでは、目標電流Ｉｍｔ、実電流Ｉｍａ、及び、回転角Ｍｋａに基づいて、３相ブリッジ回路ＢＲＧを構成する、６つのスイッチング素子ＳＵＸ〜ＳＷＺの駆動信号Ｓｕｘ〜Ｓｗｚが決定される。スイッチング制御ブロックＳＷＴは、第１変換演算ブロックＩＨＡ、目標電圧演算ブロックＥＤＱ、第２変換演算ブロックＥＭＴ、目標デューティ演算ブロックＤＴＴ、及び、駆動信号演算ブロックＳＤＲにて構成される。電気モータＭＴＲは、所謂、ベクトル制御で駆動される。
【００５４】
第１変換演算ブロックＩＨＡにて、実電流Ｉｍａ、及び、回転角Ｍｋａに基づいて、変換実電流Ｉｈａが演算される。変換実電流Ｉｈａは、実電流Ｉｍａが３相−２相変換され、さらに、固定座標から回転座標へ変換されたものである。変換実電流Ｉｈａは、ｄｑ軸（ロータ固定座標）におけるベクトルであり、ｄ軸成分（「ｄ軸実電流」ともいう）Ｉｄａ、及び、ｑ軸成分（「ｑ軸実電流」ともいう）Ｉｑａにて形成される。
【００５５】
先ず、第１変換演算ブロックＩＨＡでは、実電流Ｉｍａが、３相−２相変換される。実電流Ｉｍａは、ブリッジ回路ＢＲＧの各相（Ｕ相、Ｖ相、Ｗ相）の総称であり、具体的には、Ｕ相実電流Ｉｕａ、Ｖ相実電流Ｉｖａ、及び、Ｗ相実電流Ｉｗａにて構成される。３つの信号を同時に扱うためには、３次元の空間での計算が必要となる。計算を容易化するため、理想的な３相交流では「Ｉｕａ＋Ｉｖａ＋Ｉｗａ＝０」が成立することを利用し、３相の実電流Ｉｍａ（Ｉｕａ、Ｉｖａ、Ｉｗａ）が、２相の実電流Ｉｎａ（Ｉα、Ｉβ）に変換される。３相から２相への変換は、「クラーク（Clarke）変換、又は、αβ変換」と称呼される。
【００５６】
３相の実電流（検出値）Ｉｕａ、Ｉｖａ、Ｉｗａは、クラーク変換によって、２相の実電流Ｉα、Ｉβに変換される。即ち、対称３相交流（１２０度ずつ位相をずらした３相交流）の実電流Ｉｕａ、Ｉｖａ、Ｉｗａが、それと等価な２相交流の実電流Ｉα、Ｉβに変換される。
【００５７】
さらに、第１変換演算ブロックＩＨＡでは、回転角Ｍｋａに基づいて、固定座標（静止座標）から回転座標への座標変換が行われ、変換実電流Ｉｈａが演算される。変換後の実電流Ｉｈａは、ｄ軸成分（ｄ軸実電流）Ｉｄａ、及び、ｑ軸成分（ｑ軸実電流）Ｉｑａにて形成される。即ち、クラーク変換された電流値Ｉｎａはロータを流れる電流であるため、ロータ固定座標（回転座標であり、ｄｑ軸座標）に座標変換される。ここで、固定座標から回転座標への変換が、「パーク（Park）変換」と称呼される。回転角センサＭＫＡからのロータ回転角Ｍｋａに基づいて、固定座標から回転座標（ｄｑ軸座標）への変換が実行され、座標変換後の実電流Ｉｈａ（Ｉｄａ、Ｉｑａ）が決定される。
【００５８】
目標電圧演算ブロックＥＤＱにて、目標電流ベクトルＩｍｔ（Ｉｄｔ、Ｉｑｔ）、及び、パーク変換後の実電流Ｉｈａ（Ｉｄａ、Ｉｑａ）に基づいて、目標電圧ベクトルＥｄｑが演算される。ベクトル制御では、「目標電流のｄ軸、ｑ軸成分Ｉｄｔ、Ｉｑｔ」が、「実電流のｄ軸、ｑ軸成分Ｉｄａ、Ｉｑａ」に一致するように、所謂、電流フィードバック制御が実行される。従って、目標電圧演算ブロックＥＤＱでは、「ｄ軸、ｑ軸目標電流Ｉｄｔ、Ｉｑｔ」、及び、「ｄ軸、ｑ軸実電流Ｉｄａ、Ｉｑａ」の偏差（電流偏差）に基づいて、ＰＩ制御が行われる。ＰＩ制御では、Ｐ制御（比例制御であり、目標値と実施値との偏差に応じて、該偏差に応じて制御）と、Ｉ制御（積分制御であり、該偏差の積分値に応じて制御）とが並列に行われる。
【００５９】
具体的には、目標電圧演算ブロックＥＤＱでは、目標電流Ｉｍｔと変換実電流Ｉｈａとの偏差に基づいて、該電流偏差が減少するよう（即ち、偏差が「０」に近づくよう）、目標電圧Ｅｄｑが決定される。目標電圧Ｅｄｑは、ｄｑ軸におけるベクトルであり、ｄ軸成分（「ｄ軸目標電圧」ともいう）Ｅｄｔ、及び、ｑ軸成分（「ｑ軸目標電圧」ともいう）Ｅｑｔにて構成されている。
【００６０】
第２変換演算ブロックＥＭＴにて、目標電圧ベクトルＥｄｑ、及び、回転角Ｍｋａに基づいて、最終的な目標電圧Ｅｍｔが演算される。目標電圧Ｅｍｔは、ブリッジ回路ＢＲＧの各相の総称であり、Ｕ相目標電圧Ｅｕｔ、Ｖ相目標電圧Ｅｖｔ、及び、Ｗ相目標電圧Ｅｗｔにて構成される。
【００６１】
先ず、第２変換演算ブロックＥＭＴでは、回転角Ｍｋａに基づいて、目標電圧ベクトルＥｄｑが、回転座標から固定座標に逆座標変換されて、２相の目標電圧Ｅα、Ｅβが演算される。該変換が、「逆Ｐａｒｋ（パーク）変換」と称呼される。そして、空間ベクトル変換によって、２相の目標電圧Ｅα、Ｅβが、３相の目標電圧Ｅｍｔ（各相の電圧目標値Ｅｕｔ、Ｅｖｔ、Ｅｗｔ）に逆変換される。
【００６２】
目標デューティ演算ブロックＤＴＴにて、各相の目標電圧Ｅｍｔに基づいて、各相のデューティ比（目標値）Ｄｔｔが演算される。デューティ比Ｄｔｔは、各相の総称であり、Ｕ相デューティ比Ｄｕｔ、Ｖ相デューティ比Ｄｖｔ、及び、Ｗ相デューティ比Ｄｗｔにて構成される。具体的には、演算特性ＣＤｔｔに従って、各相の電圧目標値Ｅｍｔが「０」から増加するに伴って、デューティ比Ｄｔｔが「０」から単調増加するように演算される。
【００６３】
駆動信号演算ブロックＳＤＲにて、デューティ比Ｄｔｔに基づいて、ブリッジ回路ＢＲＧの各相を構成する、スイッチング素子ＳＵＸ〜ＳＷＺを駆動するための信号Ｓｕｘ〜Ｓｗｚが決定される。各駆動信号Ｓｕｘ〜Ｓｗｚに基づいて、各スイッチング素子ＳＵＸ〜ＳＷＺのオン／オフが切り替えられ、電気モータＭＴＲが駆動される。
【００６４】
＜３相ブラシレスモータＭＴＲ、及び、駆動回路ＤＲＶ＞
図４の電気回路図を参照して、３相ブラシレスモータＭＴＲ、及び、その駆動回路ＤＲＶについて説明する。３相ブラシレスモータＭＴＲは、Ｕ相コイルＣＬＵ、Ｖ相コイルＣＬＶ、及び、Ｗ相コイルＣＬＷの３つのコイル（巻線）を有する。ブラシレスモータＭＴＲでは、回転子（ロータ）側に磁石が、固定子（ステータ）側に巻線回路（コイル）が配置され、回転子の磁極に合わせたタイミングで、駆動回路によって転流が行われ、回転駆動される。
【００６５】
電気モータＭＴＲには、電気モータＭＴＲの回転角（ロータ位置）Ｍｋａを検出する回転角センサＭＫＡが設けられる。回転角センサＭＫＡとして、ホール素子型のものが採用される。また、回転角センサＭＫＡとして、可変リラクタンス型レゾルバが採用され得る。回転角Ｍｋａは、コントローラＥＣＵのスイッチング制御ブロックＳＷＴに入力される。
【００６６】
駆動回路ＤＲＶは、３相ブリッジ回路（単に、ブリッジ回路ともいう）ＢＲＧ、及び、安定化回路ＬＰＦにて構成される。駆動回路ＤＲＶは、電気モータＭＴＲを駆動する電気回路であり、スイッチング制御ブロックＳＷＴによって制御される。
【００６７】
ブリッジ回路ＢＲＧは、６つのスイッチング素子（パワートランジスタ）ＳＵＸ、ＳＵＺ、ＳＶＸ、ＳＶＺ、ＳＷＸ、ＳＷＺ（「ＳＵＸ〜ＳＷＺ」とも表記）にて形成される。駆動回路ＤＲＶ内のスイッチング制御ブロックＳＷＴからの各相の駆動信号Ｓｕｘ、Ｓｕｚ、Ｓｖｘ、Ｓｖｚ、Ｓｗｘ、Ｓｗｚ（「Ｓｕｘ〜Ｓｗｚ」とも表記）に基づいて、ブリッジ回路ＢＲＧが駆動され、電気モータＭＴＲの出力が調整される。
【００６８】
スイッチング制御ブロックＳＷＴでは、目標電流Ｉｍｔに基づいて、各スイッチング素子についてパルス幅変調を行うための指示値（目標値）が演算される。目標電流Ｉｍｔの大きさ、及び、予め設定される特性（演算マップ）に基づいて、パルス幅のデューティ比（一周期に対するオン時間の割合）が決定される。併せて、目標電流Ｉｍｔの符号（正、又は、負）に基づいて、電気モータＭＴＲの回転方向が決定される。例えば、電気モータＭＴＲの回転方向は、正転方向が正（プラス）の値、逆転方向が負（マイナス）の値として設定される。入力電圧（バッテリィＢＡＴの電圧）、及び、デューティ比Ｄｔｔによって最終的な出力電圧が決まるため、電気モータＭＴＲの回転方向と出力トルクが決定される。
【００６９】
さらに、スイッチング制御ブロックＳＷＴでは、デューティ比（目標値）Ｄｔｔに基づいて、ブリッジ回路ＢＲＧを構成する各スイッチング素子をオン状態（通電状態）にするか、或いは、オフ状態（非通電状態）にするかの駆動信号Ｓｕｘ〜Ｓｗｚが演算される。これらの駆動信号Ｓｕｘ〜Ｓｗｚによって、スイッチング素子ＳＵＸ〜ＳＷＺの通電、又は、非通電の状態が制御される。具体的には、デューティ比Ｄｔｔが大きいほど、スイッチング素子において、単位時間当りの通電時間が長くされ、より大きな電流が電気モータＭＴＲに流され、その出力（回転動力）が大とされる。
【００７０】
３相ブリッジ回路（インバータ回路ともいう）ＢＲＧの入力側には、安定化回路ＬＰＦを介して、蓄電池ＢＡＴが接続され、ブリッジ回路ＢＲＧの出力側には電気モータＭＴＲが接続されている。ブリッジ回路ＢＲＧでは、スイッチング素子を直列接続した上下アーム構成の電圧型ブリッジ回路を１つの相として、３つの相（Ｕ相、Ｖ相、Ｗ相）が形成されている。３つの相の上アームは、蓄電池ＢＡＴの陽極側に接続された電力線ＰＷＬと接続される。また、３つの相の下アームは、蓄電池ＢＡＴの陰極側に接続された電力線ＰＷＬと接続される。ブリッジ回路ＢＲＧでは、各相の上下アームは、蓄電池ＢＡＴと並列に電力線ＰＷＬに接続されている。
【００７１】
６つのスイッチング素子ＳＵＸ〜ＳＷＺは、電気回路の一部をオン又はオフできる素子である。例えば、スイッチング素子ＳＵＸ〜ＳＷＺとして、ＭＯＳ−ＦＥＴ、ＩＧＢＴが採用される。ブラシレスモータＭＴＲでは、回転角（ロータ位置）の検出値Ｍｋａに基づいて、ブリッジ回路ＢＲＧを構成するスイッチング素子ＳＵＸ〜ＳＷＺが制御される。そして、３つの各相（Ｕ相、Ｖ相、Ｗ相）のコイルＣＬＵ、ＣＬＶ、ＣＬＷの電流の方向（即ち、励磁方向）が、順次切り替えられ、電気モータＭＴＲが回転駆動される。即ち、ブラシレスモータＭＴＲの回転方向（正転方向、或いは、逆転方向）は、ロータと励磁する位置との関係によって決定される。ここで、電気モータＭＴＲの正転方向は、加圧ユニットＫＡＵによる液圧（結果として、押圧力）Ｆｐａの増加に対応する回転方向であり、電気モータＭＴＲの逆転方向は、液圧Ｆｐａの減少に対応する回転方向である。
【００７２】
ブリッジ回路ＢＲＧと電気モータＭＴＲとの間の実際の電流Ｉｍａ（各相の総称）を検出する電流センサＩＭＡ（総称）が、３つの各相（Ｕ相、Ｖ相、Ｗ相）に設けられる。具体的には、Ｕ相実電流Ｉｕａを検出するＵ相電流センサＩＵＡ、Ｖ相実電流Ｉｖａを検出するＶ相電流センサＩＶＡ、及び、Ｗ相実電流Ｉｗａを検出するＷ相電流センサＩＷＡが、各相に設けられる。検出された各相の電流Ｉｕａ、Ｉｖａ、Ｉｗａは、スイッチング制御ブロックＳＷＴに、夫々、入力される。
【００７３】
そして、スイッチング制御ブロックＳＷＴにおいて、上述した電流フィードバック制御が実行される。実際の電流Ｉｍａと目標電流Ｉｍｔとの偏差に基づいて、デューティ比Ｄｔｔが修正（微調整）される。この電流フィードバック制御によって、実際値Ｉｍａと目標値Ｉｍｔとが一致するように（即ち、電流偏差が「０」に近づくように）制御される。結果、高精度なモータ制御が達成され得る。
【００７４】
駆動回路ＤＲＶは、電力源（蓄電池ＢＡＴ、発電機ＡＬＴ）から電力の供給を受ける。供給された電力（電圧）の変動を低減するために、駆動回路ＤＲＶには、安定化回路ＬＰＦが設けられる。安定化回路ＬＰＦは、少なくとも１つのコンデンサ（キャパシタ）、及び、少なくとも１つのインダクタ（コイル）の組み合わせにて構成され、所謂、ＬＣ回路である。
【００７５】
＜目標電流演算ブロックＩＭＴでの第１処理例＞
図５のフロー図、及び、図６の特性図を参照して、目標電流演算ブロックＩＭＴでの第１処理例について説明する。第１処理例では、電圧制限円Ｃｖｓの中心Ｐｃｎ（ｉｄｃ、０）が、電流制限円Ｃｉｓの外側に位置する場合に対応する。先ず、図５のフロー図を参照して、電気モータＭＴＲが正転方向に駆動される場合における、処理の流れについて説明する。
【００７６】
ステップＳ１１０にて、指示電流Ｉｍｓ、補償電流Ｉｆｐ、回転角Ｍｋａ、及び、電流制限円Ｃｉｓが読み込まれる。ここで、電流制限円Ｃｉｓは、電気モータＭＴＲのｑ軸電流とｄ軸電流との電流特性（ｄｑ軸平面）において、スイッチング素子ＳＵＸ〜ＳＷＺ（駆動回路ＤＲＶの構成要素）の許容電流（通電し得る最大電流）ｉｑｍに基づいて予め設定されている。即ち、電流制限円Ｃｉｓは、駆動回路ＤＲＶの諸元（特に、スイッチング素子ＳＵＸ〜ＳＷＺの電流定格値ｉｑｍ）から定まる。ここで、所定値ｉｑｍが、「ｑ軸最大電流」と称呼される。
【００７７】
ステップＳ１２０にて、指示電流Ｉｍｓ、及び、押圧力フィードバック制御に基づく補償電流Ｉｆｐに基づいて、押圧力フィードバック制御に基づいて補償された指示電流（補償指示電流）Ｉｍｒが演算される。具体的には、指示電流Ｉｍｓに、補償電流Ｉｆｐが加算されて、補償指示電流Ｉｍｒが決定される（Ｉｍｒ＝Ｉｍｓ＋Ｉｆｐ）。
【００７８】
ステップＳ１３０にて、回転角センサＭＫＡの検出値（回転角）Ｍｋａに基づいて、電気モータＭＴＲの電気角速度ωが演算される。具体的には、回転角（機械角）Ｍｋａが、電気角θに変換され、電気角θが、時間微分されて、電気角速度ωが決定される。ここで、「機械角Ｍｋａ」は、電気モータＭＴＲの出力軸の回転角度に相当する。また、「電気角θ」は、電気モータＭＴＲにおける磁界の一周期分を２π［ｒａｄ］として、角度表記したものである。なお、回転角センサＭＫＡによって、電気角θが、直接、検出され得る。
【００７９】
ステップＳ１４０にて、電気モータＭＴＲの電気角速度θに基づいて、電圧制限円Ｃｖｓが演算される。具体的には、電圧制限円Ｃｖｓは、電気モータＭＴＲのｄｑ軸電流特性（Ｉｄｔ−Ｉｑｔ平面）において、「電源電圧（即ち、蓄電池ＢＡＴ、発電機ＡＬＴの電圧）Ｅｂａ、相インダクタンス（即ち、コイルＣＬＵ、ＣＬＶ、ＣＬＷのインダクタンス）Ｌ、及び、鎖交磁束数（即ち、磁石の強さ）φにおける各々の所定値」と、「回転角Ｍｋａから演算される電気モータＭＴＲの電気角速度ω」と、に基づいて演算される。電気モータＭＴＲの回転速度ｄＭｋが大きいほど、電圧制限円Ｃｖｓの半径は小さくなり、回転速度ｄＭｋが小さいほど、電圧制限円Ｃｖｓの半径は大きくなる。
【００８０】
ステップＳ１５０にて、電流制限円Ｃｉｓ、及び、電圧制限円Ｃｖｓに基づいて、ｄｑ軸電流平面上において、電流制限円Ｃｉｓと電圧制限円Ｃｖｓとの交差する点Ｐｘａ（Ｉｄｘ、Ｉｑｘ）、Ｐｘｂ（Ｉｄｘ、−Ｉｑｘ）が演算される。ここで、値Ｉｄｘ、Ｉｑｘ（又は、−Ｉｑｘ）は、交点Ｐｘａ、Ｐｘｂのｄｑ軸上の座標を表す、変数である。また、交点Ｐｘａ（Ｉｄｘ、Ｉｑｘ）は、電気モータＭＴＲの正転方向に対応し、交点Ｐｘｂ（Ｉｄｘ、−Ｉｑｘ）は、逆転方向に対応する。交点Ｐｘａ、Ｐｘｂは、総称して、「交点Ｐｘ」ともいう。
【００８１】
電流制限円Ｃｉｓと電圧制限円Ｃｖｓとが重なる領域が、実際に、電流フィードバック制御によって達成可能な電流の範囲（「通電可能領域」という）である。従って、通電可能領域外の指示が行われても、電流フィードバック制御において、この指示は、実際には達成され得ない。なお、回転速度ｄＭｋが小さい場合（例えば、電気モータＭＴＲが停止している場合）には、交点Ｐｘ（Ｐｘａ、Ｐｘｂの総称）が存在しない場合がある。
【００８２】
ステップＳ１６０にて、「交点Ｐｘａ（Ｉｄｘ、Ｉｑｘ）、Ｐｘｂ（Ｉｄｘ、−Ｉｑｘ）が、ｄｑ軸電流平面において、第１、第４象限に存在するか、否か」、又は、「電流制限円Ｃｉｓが電圧制限円Ｃｖｓに含まれるか、否か」が判定される。ここで、「第１象限」は、ｄ軸電流、及び、ｑ軸電流が、共に正符号の領域である。また、「第４象限」は、ｄ軸電流が正、且つ、ｑ軸電流が負の領域である。交点Ｐｘ（Ｐｘａ、Ｐｘｂの総称）が、第１、第４象限に存在し、ステップＳ１６０が肯定される場合（「ＹＥＳ」の場合）には、処理は、ステップＳ１８０に進む。一方、交点Ｐｘが第２、第３象限にあって、ステップＳ１６０が否定される場合（「ＮＯ」の場合）には、処理は、ステップＳ１７０に進む。また、電流制限円Ｃｉｓが電圧制限円Ｃｖｓに含まれて、交点Ｐｘが存在しない場合には、ステップＳ１６０が肯定され、処理は、ステップＳ１８０に進む。
【００８３】
ステップＳ１７０にて、補償指示電流Ｉｍｒ、及び、交点Ｐｘａの座標（Ｉｄｘ、Ｉｑｘ）に基づいて、「補償指示電流Ｉｍｒが、交点Ｐｘａのｑ軸座標Ｉｑｘ（変数）以上であるか、否か」が判定される。「Ｉｍｒ≧Ｉｑｘ」であり、ステップＳ１７０が肯定される場合（「ＹＥＳ」の場合）には、処理は、ステップＳ２１０に進む。一方、「Ｉｍｒ＜Ｉｑｘ」であり、ステップＳ１７０が否定される場合（「ＮＯ」の場合）には、処理は、ステップＳ２１５に進む。なお、ステップＳ１７０は、電気モータＭＴＲの正転駆動に対応しており、補償指示電流Ｉｍｒは「０」よりも大きい値である。
【００８４】
ステップＳ１８０にて、補償指示電流Ｉｍｒ、及び、電流制限円Ｃｉｓに基づいて、「補償指示電流Ｉｍｒが、電流制限円Ｃｉｓのｑ軸交点ｉｑｍ以上であるか、否か」が判定される。「Ｉｍｒ≧ｉｑｍ」であり、ステップＳ１８０が肯定される場合（「ＹＥＳ」の場合）には、処理は、ステップＳ２３０に進む。一方、「Ｉｍｒ＜ｉｑｍ」であり、ステップＳ１８０が否定される場合（「ＮＯ」の場合）には、処理は、ステップＳ２４０に進む。
【００８５】
ステップＳ２１０では、ｄ軸目標電流Ｉｄｔが交点ｄ軸座標Ｉｄｘ（変数）に、且つ、ｑ軸目標電流Ｉｑｔが交点ｑ軸座標Ｉｑｘ（変数）に決定される。ステップＳ２１５では、補償指示電流Ｉｍｒ、及び、電圧制限円Ｃｖｓに基づいて、電圧制限円ｄ軸座標Ｉｄｓ（変数であり、単に、制限円ｄ軸座標ともいう）が演算される。具体的には、制限円ｄ軸座標Ｉｄｓは、電圧制限円Ｃｖｓと、「Ｉｑｔ＝Ｉｍｒ」との交わる点のｄ軸座標である。即ち、電圧制限円Ｃｖｓ上において、ｑ軸目標電流Ｉｑｔに補償指示電流Ｉｍｒが代入された場合のｄ軸目標電流Ｉｄｔの値（座標）である（後述する式（２）参照）。そして、ステップＳ２２０では、ｄ軸目標電流Ｉｄｔが電圧制限円ｄ軸座標Ｉｄｓに、且つ、ｑ軸目標電流Ｉｑｔが補償指示電流Ｉｍｒに一致するように決定される。
【００８６】
ステップＳ２３０では、ｄ軸目標電流Ｉｄｔが「０」に、且つ、ｑ軸目標電流Ｉｑｔがｑ軸最大電流ｉｑｍ（所定値）に決定される。ステップＳ２４０では、ｄ軸目標電流Ｉｄｔが「０」に、且つ、ｑ軸目標電流Ｉｑｔが補償指示電流Ｉｍｒに一致するように決定される。
【００８７】
≪第１処理例における、電流制限円Ｃｉｓと電圧制限円Ｃｖｓとの相互関係≫
次に、図６の特性図を参照して、第１処理例の各ステップでの処理について説明する。上記の様に、電気モータＭＴＲが正転方向に駆動される場合が想定されている。従って、補償指示電流Ｉｍｒは、ｑ軸において、正の値として演算される。なお、電気モータＭＴＲが逆転方向に駆動される場合には、補償指示電流Ｉｍｒは、ｑ軸において、負の値として決定され、交点Ｐｘａに代えて、交点Ｐｘｂに基づいて、目標電流Ｉｍｔが決定される。
【００８８】
電流制限円Ｃｉｓは、駆動回路ＤＲＶ（特に、ブリッジ回路ＢＲＧ）を構成する、スイッチング素子の最大定格値（定格電流ｉｑｍ）に基づいて決定される。ここで、最大定格値は、スイッチング素子（パワーＭＯＳ−ＦＥＴ等）に流し得る電流、印加可能な電圧、電力損失等の最大許容値として定められている。
【００８９】
具体的には、電流制限円Ｃｉｓは、ｄｑ軸電流特性（Ｉｄｔ−Ｉｑｔ平面）において、原点Ｏ（「Ｉｄｔ＝０、Ｉｑｔ＝０」の点）を中心とする円として表現される。さらに、電流制限円Ｃｉｓの半径は、スイッチング素子ＳＵＸ〜ＳＷＺの許容電流値ｉｑｍ（所定値）である。即ち、電流制限円Ｃｉｓは、ｑ軸と点（０、ｉｑｍ）で交わり、ｄ軸と点（−ｉｑｍ、０）で交わる。電流制限円Ｃｉｓは、ｄｑ軸電流特性において、式（１）にて決定される。
Ｉｄｔ２＋Ｉｑｔ２＝ｉｑｍ２      …式（１）
【００９０】
さらに、電圧制限円Ｃｖｓは、電気モータＭＴＲのｄｑ軸電流特性において、式（２）にて決定される。
｛Ｉｄｔ＋（φ／Ｌ）｝２＋Ｉｑｔ２＝｛Ｅｂａ／（Ｌ・ω）｝２      …式（２）
ここで、「Ｅｂａ」は電源電圧（即ち、蓄電池ＢＡＴ、発電機ＡＬＴの電圧）、「Ｌ」は相インダクタンス、「φ」は鎖交磁束数（磁石の強さ）である。また、「ω」は、電気モータＭＴＲの電気角速度である。なお、電気角速度ωは、電気モータＭＴＲの電気角θ（電気モータＭＴＲの磁界の一周期分を２π［ｒａｄ］として表記した角度）の時間変化量であり、回転角Ｍｋａから演算される。
【００９１】
電圧制限円Ｃｖｓは、中心Ｐｃｎ（ｉｄｃ、０）の座標が（−（φ／Ｌ）、０）であり、半径が「Ｅｂａ／（Ｌ・ω）」の円として表現される。電源電圧Ｅｂａは所定値（定数）であり、回転速度ｄＭｋが大きいほど、「ω」は大となる。このため、回転速度ｄＭｋが速いほど、電圧制限円Ｃｖｓの半径は小さくなり、回転速度ｄＭｋが遅いほど、電圧制限円Ｃｖｓの半径が大きくなる。第１処理例では、中心Ｐｃｎが電流制限円Ｃｉｓの外側にあることを想定している。従って、「（φ／Ｌ）＞ｉｑｍ」の関係が成立している。
【００９２】
回転速度ｄＭｋ（即ち、電気角速度ω）が相対的に大きい場合が、電圧制限円Ｃｖｓ:ａにて図示される。この状態では、電流制限円Ｃｉｓと電圧制限円Ｃｖｓ:ａとの相互関係において、電流制限円Ｃｉｓと電圧制限円Ｃｖｓ:ａとは、点Ｐｘａ:ａ、Ｐｘｂ:ａにて交差する。この状態では、交点Ｐｘａ:ａは第２象限にあり、交点Ｐｘｂ:ａは第３象限にあるため、ステップＳ１６０の処理は否定される。
【００９３】
次に、ステップＳ１７０の処理にて、補償指示電流Ｉｍｒの値が、ｑ軸目標電流Ｉｑｔ（ｑ軸成分）として参酌される。例えば、「Ｉｍｒ＝ｉｑ１（＞Ｉｑｘ）」であり、ステップＳ１７０の「Ｉｍｒ≧Ｉｑｘ」が満足されると、ステップＳ２１０にて、「Ｉｄｔ＝Ｉｄｘ、Ｉｑｔ＝Ｉｑｘ」が演算される。即ち、目標電流Ｉｍｔとして、ベクトルＩｍｔ:１（原点Ｏから交点Ｐｘａ:ａに向かうベクトル）が演算される。
【００９４】
一方、「Ｉｍｒ＝ｉｑ２（＜Ｉｑｘ）」であり、ステップＳ１７０の「Ｉｍｒ≧Ｉｑｘ」が否定されると、ステップＳ２１５にて、電圧制限円Ｃｖｓ:ａ上において、「Ｉｑｔ＝ｉｑ２」であるときのｄ軸座標が、電圧制限円ｄ軸座標Ｉｄｓ（変数）として演算される。次に、ステップＳ２２０にて、「Ｉｄｔ＝Ｉｄｓ、Ｉｑｔ＝Ｉｍｒ（＝ｉｑ２）」が演算される。即ち、目標電流Ｉｍｔとして、ベクトルＩｍｔ:２が演算される。
【００９５】
電気モータＭＴＲへの通電において、電流フィードバック制御において、実際に流し得るｄｑ軸の電流は、電流制限円Ｃｉｓと電圧制限円Ｃｖｓとが重複する領域（網掛けで示す、通電可能領域）である。そして、通電可能領域の境界上にある、交点Ｐｘａ:ａは、出力（単位時間当たりの仕事量であり、仕事率）が最大となる点である。このため、回転速度ｄＭｋが相対的に大きく、且つ、補償指示電流Ｉｍｒが相対的に大きい場合には、電気モータＭＴＲの出力（仕事率）が最大化されるよう、目標電流Ｉｍｔとして、ベクトルＩｍｔ:１が決定される。
【００９６】
回転速度ｄＭｋが相対的に小さい場合が、電圧制限円Ｃｖｓ:ｂにて図示される。この状態では、電流制限円Ｃｉｓと電圧制限円Ｃｖｓ:ｂとの相互関係において、電流制限円Ｃｉｓと電圧制限円Ｃｖｓ:ｂとは、点Ｐｘａ:ｂ、Ｐｘｂ:ｂにて交差する。この状態では、交点Ｐｘａ:ｂは第１象限にあり、交点Ｐｘｂ:ｂは第４象限にあるため、ステップＳ１６０の処理は肯定される。
【００９７】
次に、ステップＳ１８０の処理にて、補償指示電流Ｉｍｒの値が、ｑ軸目標電流Ｉｑｔ（目標電流Ｉｍｔのｑ軸成分）として参酌される。例えば、「Ｉｍｒ＝ｉｑ３（＞ｉｑｍ）」であり、ステップＳ１８０の「Ｉｍｒ≧ｉｑｍ」が満足されると、ステップＳ２３０にて、「Ｉｄｔ＝０、Ｉｑｔ＝ｉｑｍ」が演算される。即ち、目標電流Ｉｍｔとして、ベクトルＩｍｔ:３（原点Ｏから点（０、ｉｑｍ）に向かうベクトル）が演算される。一方、「Ｉｍｒ＝ｉｑ１（＜ｉｑｍ）」であり、ステップＳ１８０の「Ｉｍｒ≧ｉｑｍ」が否定されると、ステップＳ２４０にて、「Ｉｄｔ＝０、Ｉｑｔ＝Ｉｍｒ（＝ｉｑ１）」が演算される。
【００９８】
回転速度ｄＭｋが相対的に小さい場合には、弱め磁束制御は不要であり、「Ｉｄｔ＝０」とされる。ｄ軸電流とｑ軸電流とは、トレードオフ関係にある。このため、ｄ軸目標電流Ｉｄｔが「０」にされることによって、電気モータＭＴＲへの通電において、トルク方向に作用するｑ軸目標電流Ｉｑｔが最大限に利用され得る。
【００９９】
また、回転速度ｄＭｋが相対的に小さい場合には、通電可能領域の境界上にある、点（０、ｉｑｍ）が出力最大の点になる。このため、補償指示電流Ｉｍｒが、ｑ軸最大電流ｉｑｍを超えて、指示される場合には、補償指示電流Ｉｍｒは、ｑ軸最大電流ｉｑｍに制限される。一方、補償指示電流Ｉｍｒが、ｑ軸最大電流ｉｑｍ未満である場合には、補償指示電流Ｉｍｒの制限は行われず、そのまま、目標電流Ｉｍｔとされる。
【０１００】
回転速度ｄＭｋがさらに小さく、電気モータＭＴＲが略停止している場合が、電圧制限円Ｃｖｓ:ｃにて図示される。この状態では、電流制限円Ｃｉｓは、電圧制限円Ｃｖｓ:ｃに包含され、交点Ｐｘは存在しない。従って、ステップＳ１６０の処理は肯定される。交点が点Ｐｘａ:ｂ、Ｐｘｂ:ｂである場合と同様に、ステップＳ１８０にて、「Ｉｍｒ≧ｉｑｍ」か、否かが判定され、判定結果に基づいて、「Ｉｄｔ＝０、Ｉｑｔ＝ｉｑｍ（ステップＳ２３０の処理）」、又は、「Ｉｄｔ＝０、Ｉｑｔ＝Ｉｍｒ（ステップＳ２４０の処理）」が演算される。
【０１０１】
＜目標電流演算ブロックＩＭＴでの第２処理例＞
図７のフロー図、及び、図８の特性図を参照して、目標電流演算ブロックＩＭＴでの第２処理例について説明する。第２処理例においても、第１処理例と同様に、電気モータＭＴＲが正転方向に駆動される場合について説明する。
【０１０２】
第１処理例は、電圧制限円Ｃｖｓの中心Ｐｃｎが、電流制限円Ｃｉｓの外側に位置する場合に対応するが、第２処理例は、電圧制限円Ｃｖｓの中心Ｐｃｍ（ｉｄｅ、０）が、電流制限円Ｃｉｓの内側に位置する場合に対応する。先ず、図７のフロー図を参照して、処理の流れについて説明する。
【０１０３】
ステップＳ３１０にて、指示電流Ｉｍｓ、補償電流Ｉｆｐ、回転角Ｍｋａ、及び、電流制限円Ｃｉｓが読み込まれる。電流制限円Ｃｉｓは、駆動回路ＤＲＶの諸元に基づいて予め設定されている（式（１）参照）。電流制限円Ｃｉｓは、電気モータＭＴＲのｄｑ軸電流特性（Ｉｄｔ−Ｉｑｔ平面）において、スイッチング素子ＳＵＸ〜ＳＷＺの定格電流ｉｑｍから定まっている。
【０１０４】
ステップＳ３２０にて、指示電流Ｉｍｓに、補償電流（押圧力フィードバック制御に基づく補償電流）Ｉｆｐが加算されて、補償指示電流（押圧力フィードバック制御に基づいて補償された後の指示電流）Ｉｍｒが演算される。ステップＳ３３０にて、回転角（機械角）Ｍｋａから電気角θが求められ、これが時間微分されて、電気角速度ωが演算される。ステップＳ３４０にて、電気角速度ω、及び、式（２）に基づいて、電圧制限円Ｃｖｓが演算される。
【０１０５】
ステップＳ３５０にて、電流制限円Ｃｉｓ、及び、電圧制限円Ｃｖｓに基づいて、ｄｑ軸電流特性において、交点Ｐｘ（Ｐｘａ、Ｐｘｂの総称）が演算される。第１処理例で説明した各状態に加え、回転速度ｄＭｋが非常に大きい場合には、電圧制限円Ｃｖｓが電流制限円Ｃｉｓに包含され、交点Ｐｘが存在しない場合がある。
【０１０６】
ステップＳ３６０にて、「交点Ｐｘａ（Ｉｄｘ、Ｉｑｘ）、Ｐｘｂ（Ｉｄｘ、−Ｉｑｘ）が、ｄｑ軸電流平面において、第１、第４象限に存在するか、否か」、又は、「電流制限円Ｃｉｓが電圧制限円Ｃｖｓに含まれるか、否か」が判定される。交点Ｐｘが、第１、第４象限に存在し、ステップＳ３６０が肯定される場合（「ＹＥＳ」の場合）には、処理は、ステップＳ４００に進む。一方、交点Ｐｘが第２、第３象限にあって、ステップＳ３６０が否定される場合（「ＮＯ」の場合）には、処理は、ステップＳ３７０に進む。また、電流制限円Ｃｉｓが電圧制限円Ｃｖｓに含まれて、交点Ｐｘが存在しない場合には、ステップＳ３６０が肯定され、処理は、ステップＳ４００に進む。
【０１０７】
ステップＳ３７０にて、「電圧制限円Ｃｖｓが電流制限円Ｃｉｓに含まれるか、否か」、又は、「交点Ｐｘのｄ軸座標Ｉｄｘが値ｉｄｅ以下であるか、否か」が判定される。ここで、値ｉｄｅは、電圧制限円Ｃｖｓの中心Ｐｃｍのｄ軸座標であり、「中心ｄ軸座標」と称呼される。中心ｄ軸座標ｉｄｅは、相インダクタンスＬと、鎖交磁束数φとの関係から予め定まった所定値であり、具体的には、「φ／Ｌ」に等しい。「電圧制限円Ｃｖｓが電流制限円Ｃｉｓに含まれる」、又は、「Ｉｄｘ≦ｉｑｅ」であり、ステップＳ３７０が肯定される場合（「ＹＥＳ」の場合）には、処理は、ステップＳ３９０に進む。一方、「電圧制限円Ｃｖｓが電流制限円Ｃｉｓに含まれていない」、且つ、「Ｉｄｘ＞ｉｑｅ」であり、ステップＳ３７０が否定される場合（「ＮＯ」の場合）には、処理は、ステップＳ３８０に進む。
【０１０８】
ステップＳ３８０にて、補償指示電流Ｉｍｒ、及び、交点Ｐｘａ（Ｉｄｘ、Ｉｑｘ）に基づいて、「補償指示電流Ｉｍｒが、交点ｑ軸座標Ｉｑｘ以上であるか、否か」が判定される。「Ｉｍｒ≧Ｉｑｘ」であり、ステップＳ３８０が肯定される場合（「ＹＥＳ」の場合）には、処理は、ステップＳ４１０に進む。一方、「Ｉｍｒ＜Ｉｑｘ」であり、ステップＳ３８０が否定される場合（「ＮＯ」の場合）には、処理は、ステップＳ４１５に進む。なお、指示電流Ｉｍｒは、電気モータＭＴＲが正転方向に駆動されるよう、「０」より大きい値である。
【０１０９】
ステップＳ３９０にて、補償指示電流Ｉｍｒ、及び、電圧制限円Ｃｖｓに基づいて、「補償指示電流Ｉｍｒが、電圧制限円Ｃｖｓのｑ軸交点Ｉｑｐ以上であるか、否か」が判定される。ここで、値Ｉｑｐが、「電圧制限円最大値」と称呼される。「Ｉｍｒ≧Ｉｑｐ」であり、ステップＳ３９０が肯定される場合（「ＹＥＳ」の場合）には、処理は、ステップＳ４３０に進む。一方、「Ｉｍｒ＜Ｉｑｐ」であり、ステップＳ３９０が否定される場合（「ＮＯ」の場合）には、処理は、ステップＳ４３５に進む。
【０１１０】
ステップＳ４００にて、補償指示電流Ｉｍｒ、及び、電流制限円Ｃｉｓに基づいて、「補償指示電流Ｉｍｒが、電流制限円Ｃｉｓのｑ軸交点ｉｑｍ以上であるか、否か」が判定される。「Ｉｍｒ≧ｉｑｍ」であり、ステップＳ４００が肯定される場合（「ＹＥＳ」の場合）には、処理は、ステップＳ４５０に進む。一方、「Ｉｍｒ＜ｉｑｍ」であり、ステップＳ４００が否定される場合（「ＮＯ」の場合）には、処理は、ステップＳ４６０に進む。
【０１１１】
ステップＳ４１０では、ｄ軸目標電流Ｉｄｔが交点ｄ軸座標Ｉｄｘ（変数）に、且つ、ｑ軸目標電流Ｉｑｔが交点ｑ軸座標Ｉｑｘ（変数）に決定される。ステップＳ４１５では、補償指示電流Ｉｍｒ、及び、電圧制限円Ｃｖｓに基づいて、電圧制限円ｄ軸座標Ｉｄｓ（電圧制限円Ｃｖｓ上において、「Ｉｑｔ＝Ｉｍｒ」である場合のｄ軸座標）が演算される。そして、ステップＳ４２０では、ｄ軸目標電流Ｉｄｔが制限円ｄ軸座標Ｉｄｓに、且つ、ｑ軸目標電流Ｉｑｔが補償指示電流Ｉｍｒに一致するように決定される。
【０１１２】
ステップＳ４３０では、ｄ軸目標電流Ｉｄｔが中心ｄ軸座標ｉｄｅ（所定値）に、且つ、ｑ軸目標電流Ｉｑｔが電圧制限円最大値Ｉｑｐ（変数）に決定される。ステップＳ４３５では、ステップＳ４１５と同様に、補償指示電流Ｉｍｒ、及び、電圧制限円Ｃｖｓに基づいて、電圧制限円ｄ軸座標Ｉｄｓが演算される。そして、ステップＳ４４０では、ｄ軸目標電流Ｉｄｔが制限円ｄ軸座標Ｉｄｓに、且つ、ｑ軸目標電流Ｉｑｔが補償指示電流Ｉｍｒに一致するように決定される。ステップＳ４５０では、ｄ軸目標電流Ｉｄｔが「０」に、且つ、ｑ軸目標電流Ｉｑｔがｑ軸最大電流ｉｑｍに決定される。ステップＳ４６０では、ｄ軸目標電流Ｉｄｔが「０」に、且つ、ｑ軸目標電流Ｉｑｔが補償指示電流Ｉｍｒに一致するように決定される。
【０１１３】
≪第２処理例における、電流制限円Ｃｉｓと電圧制限円Ｃｖｓとの相互関係≫
次に、図８の特性図を参照して、第２処理例の各ステップでの処理について説明する。第１処理例の説明と同様に、電気モータＭＴＲが正転方向に駆動される場合が想定され、補償指示電流Ｉｍｒは、ｑ軸において、正の値として演算される。
【０１１４】
電流制限円Ｃｉｓは、第１処理例と同様に、ブリッジ回路ＢＲＧを成すスイッチング素子の定格電流ｉｑｍに基づいて決定される。具体的には、電流制限円Ｃｉｓは、ｄｑ軸電流特性において、原点Ｏ（０、０）を中心とし、且つ、半径ｉｑｍの円として決定されている（式（１）参照）。従って、電流制限円Ｃｉｓは、ｑ軸と点（０、ｉｑｍ）にて交差する。
【０１１５】
電圧制限円Ｃｖｓは、電気モータＭＴＲのｄｑ軸電流特性において、電源電圧Ｅｂａ、相インダクタンスＬ、鎖交磁束数φ、及び、電気角速度ωに基づいて決定される（式（２）参照）。電圧制限円Ｃｖｓにおける状態変数は、電気角速度ωであり、これは回転角Ｍｋａから演算される。
【０１１６】
電圧制限円Ｃｖｓは、中心Ｐｃｍ（ｉｄｅ、０）の座標が（−（φ／Ｌ）、０）であり、半径が「Ｅｂａ／（Ｌ・ω）」の円である。回転速度ｄＭｋが速いほど、電圧制限円Ｃｖｓの半径は小さくなり、回転速度ｄＭｋが遅いほど、電圧制限円Ｃｖｓの半径が大きくなる。第２処理例では、中心Ｐｃｍが電流制限円Ｃｉｓの内側にあることを想定している。従って、「（φ／Ｌ）＜ｉｑｍ」の関係が成立している。
【０１１７】
回転速度ｄＭｋが非常に大きい場合が、電圧制限円Ｃｖｓ:ｄにて図示される。この状態では、電流制限円Ｃｉｓと電圧制限円Ｃｖｓ:ｄとの相互関係において、電圧制限円Ｃｖｓ:ｄは、電流制限円Ｃｉｓに包含され、交点Ｐｘは存在しない。ステップＳ３６０の判定が否定され、ステップＳ３７０の判定が肯定され、ステップＳ３９０の判定処理が実行される。補償指示電流Ｉｍｒが、電圧制限円最大値Ｉｑｐ以上である場合には、処理は、ステップＳ４３０に進む。ステップＳ４３０にて、ｄ軸目標電流Ｉｄｔが中心ｄ軸座標ｉｄｅにされ、ｑ軸目標電流Ｉｑｔが電圧制限円最大値Ｉｑｐに制限される。即ち、目標電流Ｉｍｔとして、ベクトルＩｍｔ:４（原点Ｏから点Ｒに向けたベクトル）が演算される。
【０１１８】
一方、補償指示電流Ｉｍｒが、電圧制限円最大値Ｉｑｐ未満である場合（例えば、「Ｉｍｒ＝ｉｑ４（＜Ｉｑｐ）」の場合）には、処理は、ステップＳ３９０からステップＳ４３５に進む。ステップＳ４３５にて、電圧制限円Ｃｖｓ:ｄ上において、「Ｉｑｔ＝ｉｑ４」であるときのｄ軸座標が、電圧制限円ｄ軸座標Ｉｄｓ（変数）として演算される（即ち、ステップＳ２１５と同様の処理）。そして、ステップＳ４４０にて、ｄ軸目標電流Ｉｄｔが制限円ｄ軸座標Ｉｄｓにされ、補償指示電流Ｉｍｒは制限されず、そのまま、ｑ軸目標電流Ｉｑｔとして決定される。即ち、目標電流Ｉｍｔとして、ベクトルＩｍｔ:５が演算される。
【０１１９】
回転速度ｄＭｋが、電圧制限円Ｃｖｓ:ｄの状態から僅かに小さくなった場合が、電圧制限円Ｃｖｓ:ｅにて図示される。この状態では、電流制限円Ｃｉｓと電圧制限円Ｃｖｓとの相互関係において、電圧制限円Ｃｖｓ:ｅは、電流制限円Ｃｉｓには包含されず、交点Ｐｘａ:ｅ、Ｐｘｂ:ｅが存在する。しかし、交点Ｐｘａ:ｅのｄ軸座標Ｉｄｘは、中心Ｐｃｍのｄ軸座標ｉｄｅよりも小さい。この状態では、電圧制限円Ｃｖｓが電流制限円Ｃｉｓに含まれる場合と同様に、ステップＳ３６０の判定が否定され、ステップＳ３７０の判定が肯定され、ステップＳ３９０の判定処理が実行される。そして、補償指示電流Ｉｍｒが、電圧制限円最大値Ｉｑｐ以上である場合には、処理は、ステップＳ４３０に進む。ステップＳ４３０にて、ｄ軸目標電流Ｉｄｔが中心ｄ軸座標ｉｄｅにされ、ｑ軸目標電流Ｉｑｔが電圧制限円最大値Ｉｑｐに制限される。即ち、目標電流Ｉｍｔとして、ベクトルＩｍｔ:６（原点Ｏから点Ｓに向けたベクトル）が演算される。なお、電圧制限円最大値Ｉｑｐは、交点Ｐｘａ:ｅのｑ軸座標Ｉｑｘよりも大きい（Ｉｐｑ＞Ｉｑｘ）。従って、交点Ｐｘａ:ｅにて制御されるよりも、点Ｓ（ｉｄｅ、Ｉｑｐ）にて制御される方が、電気モータＭＴＲの出力がより増大される。
【０１２０】
一方、補償指示電流Ｉｍｒが、電圧制限円最大値Ｉｑｐ未満である場合には、処理は、ステップＳ３９０からステップＳ４３５に進み、制限円ｄ軸座標Ｉｄｓが演算される。そして、ステップＳ４４０にて、ｄ軸目標電流Ｉｄｔが制限円ｄ軸座標Ｉｄｓにされ、補償指示電流Ｉｍｒは制限されず、そのまま、ｑ軸目標電流Ｉｑｔとして決定される。
【０１２１】
さらに、回転速度ｄＭｋが、電圧制限円Ｃｖｓ:ｅの状態から僅かに小さくなった場合が、電圧制限円Ｃｖｓ:ｆにて図示される。この状態では、電流制限円Ｃｉｓと電圧制限円Ｃｖｓとの相互関係において、電圧制限円Ｃｖｓ:ｆは、電流制限円Ｃｉｓには包含されず、交点Ｐｘａ:ｆ、Ｐｘｂ:ｆが存在する。交点Ｐｘａ:ｆのｄ軸座標Ｉｄｘは、中心Ｐｃｍのｄ軸座標ｉｄｅよりも大きい。この状態では、ステップＳ３６０の判定が否定され、ステップＳ３７０の判定が否定され、ステップＳ３８０の判定処理が実行される。そして、補償指示電流Ｉｍｒが、交点ｑ軸座標Ｉｑｘ以上である場合には、処理は、ステップＳ４１０に進む。ステップＳ４１０にて、ｄ軸目標電流Ｉｄｔが交点ｄ軸座標Ｉｄｘにされ、ｑ軸目標電流Ｉｑｔが交点ｑ軸座標Ｉｑｘに制限される。即ち、目標電流Ｉｍｔとして、ベクトルＩｍｔ:７（原点Ｏから点Ｐｘａ:ｆに向けたベクトル）が演算される。ステップＳ４１０では、ステップＳ２１０と同様の処理が成される。
【０１２２】
一方、補償指示電流Ｉｍｒが、交点ｑ軸座標Ｉｑｘ未満である場合には、処理は、ステップＳ３８０からステップＳ４１５に進み、制限円ｄ軸座標Ｉｄｓが演算される。そして、ステップＳ４２０にて、ｄ軸目標電流Ｉｄｔが制限円ｄ軸座標Ｉｄｓにされ、補償指示電流Ｉｍｒは制限されず、そのまま、ｑ軸目標電流Ｉｑｔとして決定される。ステップＳ４１５、Ｓ４２０では、ステップＳ２１５、Ｓ２２０と同様の処理が成される。
【０１２３】
回転速度ｄＭｋが相対的に小さくなった場合が、電圧制限円Ｃｖｓ:ｇ、及び、電圧制限円Ｃｖｓ:ｈにて図示される。電圧制限円Ｃｖｓ:ｇは、電圧制限円Ｃｖｓ:ｂに対応し、電圧制限円Ｃｖｓ:ｈは、電圧制限円Ｃｖｓ:ｃに対応している。従って、第１処理例と同様に、これらの状態では、ステップＳ４００の「Ｉｍｒ≧ｉｑｍ」が満足されると、ステップＳ４５０にて、「Ｉｄｔ＝０、Ｉｑｔ＝ｉｑｍ」が演算される。一方、ステップＳ４００の「Ｉｍｒ≧ｉｑｍ」が否定されると、ステップＳ４６０にて、「Ｉｄｔ＝０、Ｉｑｔ＝Ｉｍｒ」が演算される。なお、ステップＳ４５０がステップＳ２３０に相当し、ステップＳ４６０がステップＳ２４０に相当する。
【０１２４】
電気モータＭＴＲへの通電において、電流フィードバック制御によって、実際に流し得るｄｑ軸の電流は、電流制限円Ｃｉｓと電圧制限円Ｃｖｓとが重複する領域（通電可能領域）である。そして、通電可能領域の境界上にある、交点Ｐｘは、出力（単位時間当たりの仕事量）が最大となる点である。このため、第１の処理例と同様に、第２の処理例でも、回転速度ｄＭｋが相対的に大きく、且つ、補償指示電流Ｉｍｒが相対的に大きい場合には、電気モータＭＴＲの出力が最大化されるよう、目標電流Ｉｍｔとして、ベクトルＩｍｔ:７が決定される。
【０１２５】
回転速度ｄＭｋが相対的に小さい場合には、弱め磁束制御は不要であり、「Ｉｄｔ＝０」とされる。ｄ軸電流とｑ軸電流とは、トレードオフ関係にある。このため、ｄ軸目標電流Ｉｄｔが「０」にされることによって、電気モータＭＴＲへの通電において、トルク方向に作用するｑ軸目標電流Ｉｑｔが最大限に利用され得る。
【０１２６】
回転速度ｄＭｋが相対的に小さい場合には、通電可能領域の境界上にある、点（０、ｉｑｍ）が出力最大の点になる。このため、補償指示電流Ｉｍｒが、ｑ軸最大電流ｉｑｍを超えて、指示される場合には、補償指示電流Ｉｍｒは、ｑ軸最大電流ｉｑｍに制限される。一方、補償指示電流Ｉｍｒが、ｑ軸最大電流ｉｑｍ未満である場合には、補償指示電流Ｉｍｒの制限は行われず、そのまま、目標電流Ｉｍｔとされる。
【０１２７】
回転速度ｄＭｋが非常に大きく、電圧制限円Ｃｖｓが電流制限円Ｃｉｓに含まれる場合、又は、電圧制限円Ｃｖｓと電流制限円Ｃｉｓとの交点Ｐｘのｄ軸座標Ｉｄｘが、電圧制限円Ｃｖｓの中心Ｐｃｍのｄ軸座標ｉｄｅよりも小さい場合には、「中心Ｐｃｍを通り、ｑ軸に平行な直線Ｌｃｍ（「ｑ軸平行線」という）」と電圧制限円Ｃｖｓとの交点Ｒ、Ｓが出力最大の点になる。このような状況では、交点Ｐｘに基づいて目標電流Ｉｍｔが決定されるのではなく、ｑ軸平行線Ｌｃｍと電圧制限円Ｃｖｓとの交点（例えば、点Ｒ、Ｓ）に基づいて目標電流Ｉｍｔが決定される。結果、電気モータＭＴＲが効率的に駆動され得る。
【０１２８】
＜作用・効果と、他の実施形態＞
本発明に係る車両の制動制御装置ＢＣＳについて纏める。目標電流ベクトルＩｍｔの決定に際して、ｄ軸、ｑ軸電流特性（Ｉｄｔ−Ｉｑｔ特性）において、駆動回路ＤＲＶの諸元（例えば、スイッチング素子の許容電流）から定められる電流制限円Ｃｉｓと、回転角Ｍｋａに基づいて決定される電圧制限円Ｃｖｓとの相互関係が参酌される。具体的には、ｄｑ軸電流特性上に、電圧制限円Ｃｖｓが作製され、電流制限円Ｃｉｓと電圧制限円Ｃｖｓとの相互関係に基づいてｄ軸、ｑ軸目標電流Ｉｄｔ、Ｉｑｔが決定される。ここで、電流フィードバック制御によって、電気モータＭＴＲに実際に流せる電流は、相互関係において、電流制限円Ｃｉｓと電圧制限円Ｃｖｓとが重なる範囲（通電可能領域）である。万一、通電可能領域を外れて制御された場合には、電気モータＭＴＲの駆動において非効率的であり、時には、スイッチング素子に過負荷（定格電流を超えた電流）が掛かる場合が生じ得る。
【０１２９】
電圧制限円Ｃｖｓは、電気角速度ωの影響を受ける。このため、相互関係は、回転速度ｄＭｋに応じて変化する。電圧制限円Ｃｖｓと電流制限円Ｃｉｓとが交わる場合には、電圧制限円Ｃｖｓと電流制限円Ｃｉｓとの交点Ｐｘａ、Ｐｘｂ（総称として、交点Ｐｘ）に基づいてｄ軸、ｑ軸目標電流Ｉｄｔ、Ｉｑｔが演算される（図６、８参照）。これは、交点Ｐｘにて、電気モータＭＴＲの出力（単位時間の仕事量、仕事率）が最大となることに因る。交点Ｐｘによって、目標電流ベクトルＩｍｔ（Ｉｄｔ、Ｉｑｔ）が決定されることにより、効率的な電気モータＭＴＲの駆動（高速回転の維持、高トルクの出力）が達成され得る。
【０１３０】
回転速度ｄＭｋが小であり、電流制限円Ｃｉｓが電圧制限円Ｃｖｓに含まれる場合には、通電可能領域は、電流制限円Ｃｉｓと一致する。この場合、電流制限円Ｃｉｓにおいて、ｑ軸電流Ｉｑｔが最大となる点（０、ｉｑｍ）に基づいて、ｄ軸目標電流Ｉｄｔが「０」にされて、ｑ軸目標電流Ｉｑｔが演算される。ｄｑ軸電流にはトレードオフ関係が存在するが、これにより、電気モータＭＴＲは、十分なトルクを出力することが可能となる。
【０１３１】
さらに、相互関係において、「電圧制限円Ｃｖｓが電流制限円Ｃｉｓに含まれる場合」、又は、「交点Ｐｘのｄ軸座標Ｉｄｘが、電圧制限円Ｃｖｓの中心Ｐｃｍのｄ軸座標ｉｄｅよりも負側に存在する場合」には、電圧制限円Ｃｖｓにおいてｑ軸電流Ｉｑｔが最大となる頂点Ｒ、Ｓに基づいてｄ軸、ｑ軸目標電流Ｉｄｔ、Ｉｑｔが演算される（図８参照）。これは、頂点Ｒ、Ｓにて、電気モータＭＴＲの出力（単位時間の仕事量）が最大となることに因る。なお、頂点Ｒ、Ｓは、「中心Ｐｃｍを通過するｑ軸に平行な直線Ｌｃｍ（ｑ軸平行線）」と電圧制限円Ｃｖｓとの交点である。
【０１３２】
次に、他の実施形態について説明する。他の実施形態においても、上記同様の効果（効率的な電気モータＭＴＲの駆動、トレードオフの両立）を奏する。
【０１３３】
上記実施形態では、式（２）を用いて、電圧制限円Ｃｖｓが演算されることが例示された。電圧制限円Ｃｖｓの演算において、電気モータＭＴＲに電流が流されることに起因する電圧降下が考慮され得る。電圧降下は、ｄ軸電流においては、「（Ｒ・Ｉｑａ）／（Ｌ・ω）」として考慮され、ｑ軸電流においては、「（Ｒ・Ｉｄａ）／（Ｌ・ω）」として考慮される。具体的には、式（３）にて、電圧制限円Ｃｖｓが演算される。
｛Ｉｄｔ＋（φ／Ｌ）＋（Ｒ・Ｉｑａ）／（Ｌ・ω）｝２＋｛（Ｒ・Ｉｄａ）／（Ｌ・ω）−Ｉｑｔ｝２＝｛Ｅｂａ／（Ｌ・ω）｝２      …式（３）
ここで、「Ｅｂａ」は電源電圧（即ち、蓄電池ＢＡＴ、発電機ＡＬＴの電圧）、「Ｌ」は相インダクタンス、「φ」は鎖交磁束数（磁石の強さ）、「Ｒ」は配線・巻線抵抗である。また、「ω」は、電気モータＭＴＲの電気角速度であり、回転角Ｍｋａに基づいて演算される。さらに、「Ｉｄａ」はｄ軸実電流、「Ｉｑａ」はｑ軸実電流であり、電流センサＩＭＡの検出値Ｉｍａに基づいて演算される（図３参照）。
【０１３４】
式（３）では、ｄ軸、ｑ軸実電流Ｉｄａ、Ｉｑａに基づいて、電圧降下が考慮された。ｄ軸、ｑ軸実電流Ｉｄａ、Ｉｑａに代えて、前回の演算周期のｄ軸、ｑ軸目標電流Ｉｄｔ[n-1]、Ｉｑｔ[n-1]が採用される。即ち、前回の演算周期のｄ軸、ｑ軸目標電流Ｉｄｔ[n-1]、Ｉｑｔ[n-1]に基づいて電圧降下が考慮され、今回の演算周期のｄ軸、ｑ軸目標電流Ｉｄｔ[n]、Ｉｑｔ[n]演算され得る。ここで、記号末尾の[n]は今回演算周期を表し、[n-1]は前回演算周期を表す。具体的には、式（４）にて、電圧制限円Ｃｖｓが演算される。
｛Ｉｄｔ[n]＋（φ／Ｌ）＋（Ｒ・Ｉｑｔ[n-1]）／（Ｌ・ω）｝２＋｛（Ｒ・Ｉｄｔ[n-1]）／（Ｌ・ω）−Ｉｑｔ[n]｝２＝｛Ｅｂａ／（Ｌ・ω）｝２      …式（４）
【０１３５】
式（３）、又は、式（４）に示すように、電圧降下が考慮されることにより、より高精度な電気モータＭＴＲの駆動が達成され得る。
【０１３６】
上記実施形態では、電気モータＭＴＲの電気角速度ωの演算において、電気モータＭＴＲの回転角Ｍｋａ（機械角）に基づいて電気角θが演算され、電気角θが時間微分されて、電気角速度ωが演算された。即ち、「Ｍｋａ→θ→ω」の順にて、電気角速度ωが決定された。これに代えて、回転角Ｍｋａに基づいて回転速度ｄＭｋが演算され、回転速度ｄＭｋに基づいて演算され電気角速度ωが演算され得る。即ち、「Ｍｋａ→ｄＭｋ→ω」の順で、電気角速度ωが決定され得る。しかし、何れの場合であっても、ｄｑ軸電流特性における電圧制限円Ｃｖｓは、回転角センサＭＫＡによって検出される回転角Ｍｋａに基づいて演算される。
【０１３７】
上記実施形態では、ディスク型制動装置（ディスクブレーキ）の構成が例示された。この場合、摩擦部材ＭＳはブレーキパッドであり、回転部材ＫＴはブレーキディスクである。ディスク型制動装置に代えて、ドラム型制動装置（ドラムブレーキ）が採用され得る。ドラムブレーキの場合、キャリパＣＰに代えて、ブレーキドラムが採用される。また、摩擦部材ＭＳはブレーキシューであり、回転部材ＫＴはブレーキドラムである。
【０１３８】
上記実施形態では、加圧ユニットＫＡＵによって、１つの車輪ＷＨに制動力が付与されるものが例示された。しかし、加圧ユニットＫＡＵによって、複数の車輪ＷＨの制動力が発生され得る。この場合、流体路ＨＷＣに、複数のホイールシリンダＷＣが接続される。
【０１３９】
さらに、加圧シリンダＫＣＬとして、２つの加圧ピストンによって区画された、２つの液圧室を有するものが採用され得る。即ち、加圧シリンダＫＣＬに、タンデム型の構成が採用される。そして、一方の液圧室に、４つの車輪ＷＨのうちの２つのホイールシリンダＷＣが接続され、他方の液圧室に、４つの車輪ＷＨのうちの残りの２つのホイールシリンダＷＣが接続される。これにより、加圧シリンダＫＣＬを液圧源とした、所謂、前後型、又は、ダイアゴナル型の流体構成が形成され得る。
【０１４０】
上記実施形態では、電気モータＭＴＲの回転動力が、制動液を介して、ホイールシリンダＷＣの液圧に変換され、車輪ＷＨに制動力が発生される、液圧式の制動制御装置の構成が例示された。これに代えて、制動液が用いられない、電気機械式の制動制御装置が採用され得る。この場合、ＫＡＵは、キャリパＣＰに搭載される。さらに、押圧力センサＦＰＡとして、液圧センサに代えて、推力センサが採用される。例えば、推力センサは、図１の「（ＦＰＡ）」にて示すように、動力伝達機構ＤＤＫと加圧ピストンＰＫＣとの間に設けられ得る。
【０１４１】
さらに、前輪用として、制動液を介した液圧式の加圧ユニットが採用され、後輪用として、電気機械式の加圧ユニットが採用された、複合型の構成が形成され得る。
【符号の説明】
【０１４２】
ＢＰ…制動操作部材、ＭＴＲ…電気モータ（３相ブラシレスモータ）、ＫＡＵ…加圧ユニット、ＥＣＵ…コントローラ、ＤＲＶ…駆動回路、ＢＰＡ…操作量センサ、ＭＫＡ…回転角センサ、ＩＭＡ…電流センサ、Ｃｖｓ…電圧制限円、Ｃｉｓ…電流制限円。
【図１】
2018034578.tif 000003
【図２】
2018034578.tif 000004
【図３】
2018034578.tif 000005
【図４】
2018034578.tif 000006
【図５】
2018034578.tif 000007
【図６】
2018034578.tif 000008
【図７】
2018034578.tif 000009
【図８】
2018034578.tif 000010